(57)【要約】      （修正有）【課題】マイクロニードルを壊さずにマイクロニードル用のアプリケーターを容易に保管できるキット、並びに該キットを使用する美容方法を提供する。【解決手段】基材層１−２、及び該基材層１−２上に複数のマイクロニードル１−１を備えた少なくとも1枚のマイクロニードルシートであり、該マイクロニードル１−１が少なくとも1種の水溶性又は水分散性ポリマーを含む、マイクロニードルシート１と、少なくとも1つの適用面を備えた少なくとも1個のアプリケーターとを含むキットであって、該マイクロニードル１−１の該基材層１−２が、該アプリケーターの該適用面に取り付けられることが可能である、キット。該キットは、マイクロニードル１−１を壊すことなく、マイクロニードル用のアプリケーターを容易に保管できる。【選択図】図1
2020099513.tif 000002
【特許請求の範囲】
【請求項１】
基材層及び前記基材層上の複数のマイクロニードルを備えた少なくとも1枚のマイクロニードルシートであり、前記マイクロニードルが少なくとも1種の水溶性又は水分散性ポリマーを含む、マイクロニードルシートと、
少なくとも1つの適用面を備えた少なくとも1個のアプリケーターと
を含むキットであって、
前記マイクロニードルシートの前記基材層が前記アプリケーターの前記適用面に取り付け可能である、キット。
【請求項２】
前記マイクロニードルシートの前記基材層が、前記アプリケーターの前記適用面に取り付けられた後に、前記アプリケーターの前記適用面から取り外し可能である、請求項1に記載のキット。
【請求項３】
前記マイクロニードルシートが、少なくとも1つの基層を備え、前記基層が、前記基材層上に固定されている、請求項1又は2に記載のキット。
【請求項４】
前記マイクロニードルシートが、少なくとも1つの接着剤層を備え、前記接着剤層が、前記基材層上に固定されている、請求項1又は2に記載のキット。
【請求項５】
前記マイクロニードルシートが、少なくとも1つの接着剤層を備え、前記接着剤層が、前記基層上に固定されている、請求項3に記載のキット。
【請求項６】
前記マイクロニードルシートが、少なくとも1つの剥離層を備え、前記剥離層が、前記接着剤層上に載置されている、請求項4又は5に記載のキット。
【請求項７】
前記マイクロニードルが、50〜1000ミクロン、好ましくは100〜750ミクロン、より好ましくは150〜500ミクロンの高さを有する、請求項1から6のいずれか一項に記載のキット。
【請求項８】
前記アプリケーターの前記適用面が、曲面である、請求項1から7のいずれか一項に記載のキット。
【請求項９】
前記アプリケーターが、曲面の側面を有する少なくとも1個の円筒形ローラーを備え、前記円筒形ローラーの前記曲面の側面が、前記適用面を備える、請求項8に記載のキット。
【請求項１０】
前記アプリケーターの前記適用面が、平面である、請求項1から7のいずれか一項に記載のキット。
【請求項１１】
前記アプリケーターが、少なくとも1つの平面を有する少なくとも1個のスタンプを備え、前記スタンプの前記平面が、前記適用面を備える、請求項10に記載のキット。
【請求項１２】
少なくとも1個の容器を更に含み、前記容器が前記マイクロニードルシートを保管することが可能である、請求項1から11のいずれか一項に記載のキット。
【請求項１３】
前記容器が、スポンジ、織布又は不織布、及びこれらの組合せから好ましくは選択される少なくとも1つの軟質の及び/又は多孔質の物品を備える、請求項12に記載のキット。
【請求項１４】
少なくとも1種の化粧用組成物を更に含む、請求項1から13のいずれか一項に記載のキット。
【請求項１５】
皮膚又は唇等のケラチン物質のための美容方法であって、
少なくとも1枚のマイクロニードルシートを少なくとも1個のアプリケーターの少なくとも1つの適用面に取り付ける工程であって、
前記マイクロニードルシートが、基材層及び前記基材層上の複数のマイクロニードルを備え、前記マイクロニードルが少なくとも1種の水溶性又は水分散性ポリマーを含み、
前記基材層を前記アプリケーターの前記適用面に取り付ける工程と、
前記アプリケーターを、前記マイクロニードルがケラチン物質に接触するようにケラチン物質上に適用する工程と
を含む、美容方法。
【発明の詳細な説明】
【技術分野】
【０００１】
本発明は、複数のマイクロニードルを備えた少なくとも1枚のマイクロニードルシートを含むキット、並びにマイクロニードルシートを使用する皮膚及び唇等のケラチン物質のための美容方法に関する。
【背景技術】
【０００２】
角質層(SC)は、低分子量材料を含む外因性物質に対する主な障壁を構成する。一般に、皮膚に浸透する外因性物質は、角質層の高度に組織された細胞間脂質二重層を通って拡散しなければならない。親油性であるこの細胞間の微細経路は、送達ビヒクルとSCとの間の濃度勾配に沿った受動拡散により、外因性物質がSC障壁を通過する主要な経路である。いくつかの外因性物質は、皮膚内へ穿通することが難しい。
【０００３】
外因性物質を皮膚のより深部に供給するために、従来の針を使用する注射を実施することが可能である。しかしながら、このような注射は痛みを引き起こし、且つ医師等の専門家によって実施される必要がある。そのため、従来の針を使用する注射は、美容目的では一般的でない。
【０００４】
角質層(SC)障壁を破るために複数のマイクロニードルを有する微細構造装置を使用するという着想は、1970年代に初めて提案された。マイクロニードルアレイの製造は、当技術分野で、例えばWO2008/139786、WO2009/040548、WO2015/147040及びWO2016/076442に記載されている。マイクロニードルは、注射用の従来の針の使用により引き起こされる痛みなしに、潜在的にSCを穿通し且つ自己投与されうるという利点を有する。
【０００５】
一般に、マイクロニードルは、基材層上に整列されてマイクロニードルシートを形成する。マイクロニードルシートは、マイクロニードルがケラチン物質内に挿入されうるように、いくらかの時間の間、皮膚等のケラチン物質上に適用され、ケラチン物質の内側の水分又は水によってケラチン物質内で溶解する又は崩壊する。
【０００６】
マイクロニードルを皮膚上に適用するための従来のいくつかの装置が存在する。このような装置の1つが、その上にマイクロニードルが形成されているローラーを有するアプリケーターである。
【０００７】
しかしながら、マイクロニードルがローラー上に形成されているので、マイクロニードルを壊さずにアプリケーターを保管することは、従来のこのような装置では難しい。
【先行技術文献】
【特許文献】
【０００８】
【特許文献１】WO2008/139786
【特許文献２】WO2009/040548
【特許文献３】WO2015/147040
【特許文献４】WO2016/076442
【特許文献５】米国特許第6219574号
【特許文献６】カナダ特許出願第2226718号
【特許文献７】米国特許第6652478号
【特許文献８】米国特許第2528378号
【特許文献９】米国特許第2781354号
【特許文献１０】米国特許第4874554号
【特許文献１１】米国特許第4137180号
【非特許文献】
【０００９】
【非特許文献１】Walter Noll、「Chemistry and Technology of Silicones」(1968)、Academic Press
【非特許文献２】Cosmetics and Toiletries、第91巻、76年1月、27〜32頁、Todd & Byers、Volatile Silicone Fluids for Cosmetics
【非特許文献３】ASTM規格445 Appendix C
【非特許文献４】CTFA辞典、第9版、2002年
【非特許文献５】CTFA辞典、第3版、1982年
【非特許文献６】CTFA辞典、第5版、1993年
【非特許文献７】CTFA 1997年
【非特許文献８】M.R.Porter、「Handbook of Surfactants」、Blackie & Son publishers(Glasgow and London)、1991年、116〜178頁
【非特許文献９】「The HLB system. A time-saving guide to emulsifier selection」(ICI Americas Inc.社より刊行、1984年)
【発明の概要】
【発明が解決しようとする課題】
【００１０】
本発明の目的は、ユーザーが、マイクロニードルを壊さずにマイクロニードル用のアプリケーターを容易に保管することを可能にできるキット、並びに該キットを使用することができる美容方法を提供することである。
【課題を解決するための手段】
【００１１】
上記の目的は、
基材層及び該基材層上の複数のマイクロニードルを備えた少なくとも1枚のマイクロニードルシートであり、マイクロニードルが少なくとも1種の水溶性又は水分散性ポリマーを含む、マイクロニードルシートと、
少なくとも1つの適用面を備えた少なくとも1個のアプリケーターと
を含むキットであって、
前記マイクロニードルシートの該基材層が、前記アプリケーターの前記適用面に取り付け可能である、
キットによって達成することができる。
【００１２】
マイクロニードルシートの基材層がアプリケーターの適用面に取り付けられた後に、アプリケーターの適用面から取り外し可能であることが好ましい。
【００１３】
マイクロニードルシートは、基材層上に固定されうる少なくとも1つの基層を備えてもよい。
【００１４】
マイクロニードルシートは、基材層又は基層(存在する場合)上に固定されうる少なくとも1つの接着剤層を備えてもよい。
【００１５】
マイクロニードルシートは、接着剤層上に載置されうる少なくとも1つの剥離層を備えてもよい。
【００１６】
マイクロニードルは、50〜1000ミクロン、好ましくは100〜750ミクロン、より好ましくは150〜500ミクロンの高さを有してもよい。
【００１７】
アプリケーターの適用面は、曲面であってもよい。アプリケーターは、曲面の側面を有する少なくとも1個の円筒形ローラーを備えてもよく、該円筒形ローラーの該曲面の側面は、適用面を備えてもよい。
【００１８】
アプリケーターの適用面は、平面であってもよい。アプリケーターは、少なくとも1つの平面を有する少なくとも1個のスタンプを備えてもよく、該スタンプの該平面は、適用面を備えてもよい。
【００１９】
本発明によるキットは、マイクロニードルシートを保管することが可能な少なくとも1個の容器を更に備えてもよい。
【００２０】
容器は、スポンジ、織布又は不織布、及びこれらの組合せから好ましくは選択される、少なくとも1つの軟質の及び/又は多孔質の物品を備えてもよい。
【００２１】
本発明によるキットは、少なくとも1種の化粧用組成物を更に含んでもよい。
【００２２】
本発明はまた、皮膚又は唇等のケラチン物質のための美容方法であって、
少なくとも1枚のマイクロニードルシートを少なくとも1個のアプリケーターの少なくとも1つの適用面に取り付ける工程であり、
前記マイクロニードルシートが、基材層及び該基材層上の複数のマイクロニードルを備え、前記マイクロニードルが少なくとも1種の水溶性又は水分散性ポリマーを含み、前記基材層を前記アプリケーターの前記適用面に取り付ける工程と、
前記マイクロニードルがケラチン物質に接触するように、前記アプリケーターをケラチン物質上に適用する工程と
を含む、美容方法に関する。
【図面の簡単な説明】
【００２３】
【図１】本発明のために使用されるマイクロニードルシートの例の断面図である。
【図２】適用面を備えた曲面の側面を有する少なくとも1個の円筒形ローラーを備えたアプリケーターの例の透視図である。
【図３】そこにマイクロニードルシートの基材層が取り付けられたアプリケーターの例の透視図である。
【図４】マイクロニードルシートを有するアプリケーターをどのように使用するかの透視図である。
【図５】適用面を備えた少なくとも1つの平面を有する少なくとも1個のスタンプを備えたアプリケーターの例の正面図である。
【図６】本発明のために使用されうる容器の例の断面図である。
【発明を実施するための形態】
【００２４】
鋭意検討の結果、発明者らは、ユーザーがマイクロニードルを壊さずにマイクロニードル用のアプリケーターを容易に保管することを可能にすることができるキットを提供することが可能であることを発見した。
【００２５】
そのため、本発明の一態様は、
基材層及び該基材層上の複数のマイクロニードルを備えた少なくとも1枚のマイクロニードルシートであり、マイクロニードルが少なくとも1種の水溶性又は水分散性ポリマーを含む、マイクロニードルシートと、
少なくとも1つの適用面を備えた少なくとも1個のアプリケーターと
を含むキットであって、
前記マイクロニードルシートの前記基材層が、前記アプリケーターの前記適用面に取り付け可能である、
キットである。
【００２６】
本発明によれば、マイクロニードルシートは、使用されないときにアプリケーターから離される。マイクロニードルシートは、使用されるときにアプリケーターに取り付けられうる。したがって、ユーザーは、マイクロニードルを壊さずにアプリケーターを容易に保管することができる。
【００２７】
マイクロニードルシートの基材層がアプリケーターの適用面に取り付けられた後に、アプリケーターの適用面から取り外し可能であることが好ましい。この事例では、アプリケーターは、アプリケーター上のマイクロニードルシートを交換することによって繰り返し使用されうる。マイクロニードルシートの交換はユーザーによって実施されうる。
【００２８】
本発明によるキットが、マイクロニードルシートの保管が可能な少なくとも1個の容器を更に含む場合、マイクロニードルを壊さずにマイクロニードルシートを保管することが、より容易に実施されうる。
【００２９】
マイクロニードルが痛みを一切引き起こさないため、本発明は、痛み無しの美容トリートメントを提供することができる。そのため、本発明によるキットは、美容又は非治療的トリートメントにとって好都合である。
【００３０】
本明細書で以下に、本発明によるキット及び美容方法を詳細に説明する。
【００３１】
[キット]
本発明によるキットは、
基材層及び該基材層上の複数のマイクロニードルを備えた少なくとも1枚のマイクロニードルシートであり、マイクロニードルが少なくとも1種の水溶性又は水分散性ポリマーを含む、マイクロニードルシートと、
少なくとも1つの適用面を備えた少なくとも1個のアプリケーターと
を含み、
前記マイクロニードルシートの前記基材層は、前記アプリケーターの前記適用面に取り付けられることが可能である。
【００３２】
{マイクロニードルシート}
本発明によるキットのために使用されるマイクロニードルシートは、基材層及び該基材層上の少なくとも1種の水溶性又は水分散性ポリマーを含む複数のマイクロニードルを備える。
【００３３】
本発明のために使用されるマイクロニードルシートは、美容装置、好ましくはケラチン物質用の美容装置、より好ましくは皮膚用の、詳細には顔面の皮膚用の、並びに唇用の美容装置でありうる。
【００３４】
(マイクロニードル)
本発明のために使用されるマイクロニードルシートは、複数のマイクロニードルを備える。
【００３５】
マイクロニードルは、基材層の表面上に存在する。マイクロニードルは、基材層の表面の50%以上、好ましくは70%以上、より好ましくは90%以上の上に存在しうる。
【００３６】
マイクロニードルが、基材層の表面のうちの一方の上に存在することが好ましい。
【００３７】
本発明のために使用されるマイクロニードルシートのマイクロニードルが、皮膚の、詳細には顔面の皮膚の、並びに唇の、角質層内へ穿通するように又は入るように設計されることが好ましい。
【００３８】
マイクロニードルは、角質層を穿刺するのに好適な任意のサイズ及び形状でありうる。マイクロニードルが角質層を貫いて横断するように設計されることが好ましい場合がある。マイクロニードルが角質層内に開口部を創製することができる場合がある。
【００３９】
必要な場合、マイクロニードルの高さは、皮膚の表皮及び/又は真皮内へ、好ましくは真皮上層、より好ましくは真皮下層への穿通を可能とするように変更されうる。
【００４０】
マイクロニードルの形状は、その形状が「針」である限り限定されない。本発明のためのマイクロニードルが、円錐状、棒状及び/又は柱状が挙げられるがこれらに限定されない任意の合理的な形状をとりうることが、当業者には明らかとなる。そうであるので、マイクロニードルは、先端部が底部と同一の直径を有していてもよく、又は直径が底部から先端部の方向に先細りしていてもよい。
【００４１】
例えば、マイクロニードルの形状は、三角錐、四角錐又は五角錐の形態にあってもよい。或いは、マイクロニードルは、好ましくは先端部を有する円筒形態であってもよく、円筒を対角線で切断して形成することができる。
【００４２】
マイクロニードルの断面図は、円形、三角形、正方形、長方形、多角形、定形又は非定形の形態等を含む任意の幾何学的形態をとってもよい。一実施形態では、マイクロニードルの群は、中空マイクロキャピラリーの形態をとってもよい。
【００４３】
このように、利用されている微細突起又は微細突出の種類として「マイクロニードル」が参照される。多くの事例で、同一の発明原理が、皮膚に穿通するための他の微細突起又は微細突出の使用に当てはまることが、当業者には理解されることになる。他の微細突起又は微細突出には、例えば米国特許第6219574号及びカナダ特許出願第2226718号に記載されているマイクロブレード、並びに米国特許第6652478号に記載されているエッジ付きマイクロニードルが挙げられる。
【００４４】
本発明のために使用されるマイクロニードルシートのマイクロニードルの高さ又は長さは、50〜1000ミクロン、好ましくは100〜750ミクロン、より好ましくは150〜500ミクロンであってもよい。
【００４５】
本発明の一実施形態によれば、マイクロニードルは、円錐体の形態である。
【００４６】
円錐体は、先端部及び底部等の遠位端を備えてもよい。底部の形状は、円形であっても楕円形であってもよい。
【００４７】
本発明のために使用されるマイクロニードルシートのマイクロニードルの円錐体の高さ又は長さは、50〜1000ミクロン、好ましくは100〜750ミクロン、より好ましくは150〜500ミクロンであってもよい。
【００４８】
本発明のために使用されるマイクロニードルシートのマイクロニードルの円錐体の底部は、50〜350ミクロン、好ましくは100〜300ミクロン、より好ましくは150〜250ミクロンの直径又は幅を有してもよい。本発明のために使用されるマイクロニードルシートのマイクロニードルの円錐体の底部が楕円形又は長円の形状にある場合、その楕円形の主軸の長さ又は幅は、50〜350ミクロン、好ましくは100〜300ミクロン、より好ましくは150〜250ミクロンであってもよい。
【００４９】
マイクロニードルは、少なくとも約3:1、少なくとも約2:1又は少なくとも約1:1のアスペクト比(底部における長さ/幅)を有してもよい。マイクロニードルの(円錐体の高さ)/(円錐体の底部の直径)の比は、1以上、好ましくは1.5以上、より好ましくは2.0以上であってもよい。
【００５０】
好ましくは、マイクロニードルは、50.0N/cm2未満、例えば20.0N/cm2未満、例えば10N/cm2未満等の挿入圧力がマイクロニードルの長さに沿ってかけられるとき、その力で破砕しない。
【００５１】
本発明のために使用されるマイクロニードルシート、詳細にはマイクロニードルシートのマイクロニードルが、50N/mm以上、好ましくは55N/mm以上、より好ましくは60N/mm以上のヤング率を有することもまた好ましい。
【００５２】
マイクロニードルが、200ミクロン以下、好ましくは180ミクロン以下、より好ましくは160ミクロン以下の深さまで、皮膚又は唇等のケラチン物質内へ穿通することができることが好ましい場合がある。
【００５３】
マイクロニードルは、溶解性であっても非溶解性であってもよい。マイクロニードルが溶解性であることが好ましい。
【００５４】
「溶解性のマイクロニードル」が意味するのは、マイクロニードルが皮膚又は唇等のケラチン物質の内部で、例えば天然の湿潤因子又は外部の水分によって破壊されうる又は崩壊されうることである。
【００５５】
本発明のために使用されるマイクロニードルシートのマイクロニードルは、少なくとも1種の水溶性又は水分散性ポリマーを含んでもよい。本明細書では、用語「水溶性」及び「水分散性」は、水と接触しているときに、それぞれ可溶性である及び分散性であることを意味する。単一の水溶性又は水分散性ポリマーが使用されうる。2種以上の水溶性又は水分散性のポリマーを組み合わせて使用することができる。
【００５６】
水溶性又は水分散性ポリマーが、皮膚又は唇内で可溶性である又は分散性であることが好ましい。そのため、本発明の一実施形態では、水溶性又は水分散性のポリマーは、皮膚又は唇等のケラチン物質内への挿入後に、溶解されること又は分散されることが可能である。ポリマーの可溶性又は分散性に起因して、本発明のために使用されるマイクロニードルシートのマイクロニードルは、マイクロニードル中の作用剤(存在する場合)を効果的に放出することができる。マイクロニードルシートの適用と組み合わされる任意選択の外部の水を、マイクロニードルの溶解又は分散を促進するために使用することができる。
【００５７】
水溶性又は水分散性ポリマーが、皮膚又は唇等のケラチン物質の表面の層の中で溶解性である又は分散性であることが好ましい。
【００５８】
水溶性又は水分散性ポリマーは、ヒアルロン酸(特定すると低分子量ヒアルロン酸)、単糖、二糖、オリゴ糖、多糖(その誘導体、例えばヒドロキシメチルセルロースを含む)、デキストリン、デキストラン、ポリエチレングリコール、ポリビニルアルコール、ポリ(メチルビニルエーテル/無水マレイン酸)、ポリビニルピロリドン、ポリ(メチル/ビニルエーテル/マレイン酸)(PMVE/MA)及びそれらのエステル、ポリ(メチル/ビニルエーテル/無水マレイン酸)(PMVE/MAH)、並びにこれらの混合物から選択することができる。
【００５９】
水溶性又は水分散性ポリマーは、10,000〜200,000ダルトン、好ましくは30,000〜150,000ダルトン、より好ましくは50,000〜100,000ダルトンの分子量を有してもよい。
【００６０】
低分子量ヒアルロン酸は、100kDa以下、好ましくは70kDa以下、より好ましくは50kDa以下の分子量を有してもよい。
【００６１】
ポリビニルピロリドンは、1kDaから300kDaの間、好ましくは5kDaから200kDaの間、より好ましくは7kDaから100kDaの間の分子量を有してもよい。
【００６２】
ポリ(メチル/ビニルエーテル/マレイン酸)(PMVE/MA)及びそのエステル、並びにポリ(メチル/ビニルエーテル/無水マレイン酸)(PMVE/MAH)は、Gantrez型ポリマーとして知られる。
【００６３】
本発明のために使用されるマイクロニードルシートのマイクロニードル中の水溶性又は水分散性ポリマーの量(固体ベース)は、マイクロニードルの総質量に対して、50質量%以上、好ましくは60質量%以上、より好ましくは70質量%以上であってもよい。本発明のために使用されるマイクロニードルシートのマイクロニードル中の水溶性又は水分散性ポリマーの量(固体ベース)は、マイクロニードルの総質量に対して、100質量%以下、好ましくは90質量%以下、より好ましくは80質量%以下であってもよい。このように、本発明のために使用されるマイクロニードルシートのマイクロニードル中の水溶性又は水分散性ポリマーの量(固体ベース)は、マイクロニードルの総質量に対して、50質量%〜100質量%、好ましくは60質量%〜90質量%、より好ましくは70質量%〜80質量%であってもよい。
【００６４】
本発明のために使用されるマイクロニードルシートのマイクロニードルが、膨潤性の、より好ましくは水膨潤性の、更により好ましくは皮膚又は唇等のケラチン物質内で膨潤性の、少なくとも1種の材料を含むことが可能な場合がある。上記の材料は、膨潤性の、より好ましくは水膨潤性の、更により好ましくはケラチン物質内で膨潤性のポリマーであってもよい。本明細書では、用語「水膨潤性」は、水と接触しているときに膨潤性であることを意味する。上記の膨潤性材料又はポリマーは、生理食塩水溶液又はリン酸緩衝生理食塩水中のインビトロの、1時間のインキュベーションにおいて少なくとも10倍超、好ましくは1時間のインキュベーションにおいて少なくとも20倍、より好ましくは1時間のインキュベーションにおいて少なくとも30倍、更により好ましくは1時間のインキュベーションにおいて少なくとも40倍、最も好ましくは1時間のインキュベーションにおいて約45〜55倍に膨潤できるような、高い膨潤性を有しうる。
【００６５】
マイクロニードルの少なくとも遠位端部分が、ケラチン物質内への挿入時に、より好ましくはケラチン物質内への挿入後の1時間未満以内に、更により好ましくは24時間以内に、少なくとも2倍に膨潤することが好ましい場合がある。
【００６６】
上記の膨潤性材料、好ましくは上記の膨潤性ポリマーは、生理食塩水溶液又はリン酸緩衝生理食塩水中でのインビトロのインキュベーション後にゲルを形成できるように、高い粘弾性を有しうる。ゲルは、レオメータを用いる動的周波数掃引試験において、低周波数(0.01Hz)であってさえ、高弾性係数G'、高粘性係数G''、1未満のタンジェント(δ)(タンジェント(δ)=G''/G')及び高稠度G*(G*2=G'2+G''2)を呈する。
【００６７】
一実施形態では、上記の膨潤性材料、好ましくは膨潤性ポリマーは、水溶性ではない又は水分散性ではない。
【００６８】
別の実施形態では、上記の膨潤性材料、好ましくは膨潤性ポリマーは、ヒドロゲル形成性ポリマーであってもよい。
【００６９】
上記の膨潤性ポリマーは、高分子量ヒアルロン酸、架橋ヒアルロン酸、架橋ポリエチレングリコール、ポリエチレングリコール架橋ポリ乳酸又はポリグルコール酸又はポリ-乳酸-コ-グリコール酸又はポリジオキサノン、ポリ(スチレン)-ブロック-ポリ(アクリル酸)、ポリエチレングリコール架橋PMVE/MA、架橋ポリビニルピロリドン、デンプングリコール酸ナトリウム、セルロース、天然及び合成ゴム;アルギネート;ポリアクリル酸ナトリウム、PEG架橋ポリ(メチル/ビニルエーテル/マレイン酸)(PMVE/MA)及びそのエステル、PEG架橋ポリ(メチル/ビニルエーテル/無水マレイン酸)(PMVE/MAH)及びそのエスエル、並びにこれらの混合物から選択することができる。
【００７０】
高分子量ヒアルロン酸は、500kDa超、好ましくは1000kDa超、より好ましくは2100kDa超の分子量、好ましくは10000kDa未満の分子量を有してもよい。
【００７１】
別段の定義がなされていない限り、本明細書における分子量は、数平均分子量を意味する。
【００７２】
ポリ(メチル/ビニルエーテル/マレイン酸)(PMVE/MA)及びそのエステル、並びにポリ(メチル/ビニルエーテル/無水マレイン酸)(PMVE/MAH)は、Gantrez型ポリマーとして知られる。
【００７３】
本発明のために使用されるマイクロニードルシートのマイクロニードル中の膨潤性材料の量(固体ベース)は、マイクロニードルの総質量に対して、1質量%以上、好ましくは5質量%以上、より好ましくは10質量%以上であってもよい。本発明のために使用されるマイクロニードルシートのマイクロニードル中の膨潤性材料の量(固体ベース)は、マイクロニードルの総質量に対して、30質量%以下、好ましくは25質量%以下、より好ましくは20質量%以下であってもよい。このように、本発明のために使用されるマイクロニードルシートのマイクロニードル中の膨潤性材料の量(固体ベース)は、マイクロニードルの総質量に対して、1質量%〜30質量%、好ましくは5質量%〜25質量%、より好ましくは10質量%〜20質量%であってもよい。
【００７４】
本発明のために使用されるマイクロニードルシートのマイクロニードルが少なくとも1種の膨潤性材料、好ましくは少なくとも1種の膨潤性ポリマーを含む場合、該マイクロニードルは、膨潤性であることができ、その結果、それは、皺の外観を低減することによって、ケラチン物質の、好ましくは皮膚の、より好ましくは顔面の皮膚の、審美的外観を改善することができる。
【００７５】
換言すれば、マイクロニードルが膨潤性である場合、それは、皮膚内で膨潤して、例えば皮膚内の水の吸収と共に、マイクロニードルの体積を更に増加させることができる。皺部位の皮膚表面下におけるこのような体積膨張は、皺を皮膚内部から効果的に押して、皺をより浅く、より幅広くすることができる。このようにして、皺は、低減されうる又は目立たなくなりうる。
【００７６】
基材層上の個々のマイクロニードルのそれぞれの間の尖端分離距離は、マイクロニードルによる皮膚又は唇の穿通を確保し、同時に高い経皮輸送速度をもたらすのに十分短い分離距離を有するように修正することができる。
【００７７】
一実施形態では、マイクロニードル間の尖端分離距離の範囲は、10〜1000μmの範囲、例えば30〜800μm又は50〜600μmでありうる。このことは、可能な限り多くのマイクロニードルによる角質層の効果的な穿通と、マイクロニードルの可能な膨潤(それらが膨潤性である場合)に必要な余地との間に達成されるべき妥協点を可能とすることができる。
【００７８】
一実施形態では、マイクロニードルの密度は、100〜2000マイクロニードル/cm2、好ましくは200〜1000マイクロニードル/cm2、更により好ましくは200〜500マイクロニードル/cm2であってもよい。
【００７９】
(ポリオール)
一実施形態によれば、マイクロニードルシートのマイクロニードルの少なくとも1本は、少なくとも1種のポリオールを含んでもよい。単一の種類のポリオールが使用されうる。2種以上のポリオールを組み合わせて使用することができる。
【００８０】
ポリオールが、大気圧(760mmHg又は105Pa)下、25℃等の室温にて液体の形態であることが好ましい。
【００８１】
用語「ポリオール」は、本明細書では、2つ以上のヒドロキシ基を有するアルコールを意味し、糖類又はその誘導体を包含しない。糖類の誘導体には、糖類の1つ又は複数のカルボニル基を還元することによって得られる糖アルコール、並びにそれらの1つ又は複数のヒドロキシ基中の1個又は複数の水素原子が、アルキル基、ヒドロキシアルキル基、アルコキシ基、アシル基又はカルボニル基等の少なくとも1つの置換基で置き換えられている糖類又は糖アルコールが挙げられる。
【００８２】
本発明において使用されるポリオールは、大気圧(760mmHg又は105Pa)下、25℃等の室温にて液体である。
【００８３】
ポリオールは、少なくとも2つのヒドロキシ基、好ましくは2〜5つのヒドロキシ基を含む、C2〜C24ポリオール、好ましくはC2〜C9ポリオールであってもよい。
【００８４】
ポリオールは、天然のポリオールであっても合成のポリオールであってもよい。ポリオールは、直鎖状、分枝状又は環状の分子構造を有してもよい。
【００８５】
ポリオールは、グリセリン及びその誘導体、並びにグリコール及びその誘導体から選択することができる。ポリオールは、グリセリン、ジグリセリン、ポリグリセリン、エチレングリコール、ジエチレングリコール、プロピレングリコール、ジプロピレングリコール、ブチレングリコール、ペンチレングリコール、へキシレングリコール、C6〜C24ポリエチレングリコール、1,3-プロパンジオール、1,4-ブタンジオール及び1,5-ペンタンジオールからなる群から選択することができる。
【００８６】
マイクロニードルシートのマイクロニードルがポリオールを含む場合、マイクロニードルの脆性は、低減されうる又は調整されうる。
【００８７】
(糖類)
一実施形態によれば、マイクロニードルシートのマイクロニードルの少なくとも1本は、少なくとも1種の糖類又はその誘導体を含んでもよい。単一の種類の糖類又はその誘導体が使用されうる。2種以上の糖類、その誘導体、又は糖類とその誘導体との組合せを使用することができる。
【００８８】
用語「糖類」は、本明細書では、1個又は複数のグルコシド単位からなり、且つ少なくとも1つのカルボニル基を有しうるポリアルコールを意味する。糖類の誘導体には、糖類の1つ又は複数のカルボニル基を還元することにより得られる糖アルコール、並びにそれらの1つ又は複数のヒドロキシ基中の1個又は複数の水素原子が、アルキル基、ヒドロキシアルキル基、アルコキシ基、アシル基又はカルボニル基等の少なくとも1つの置換基で置き換えられている糖類又は糖アルコールが挙げられる。
【００８９】
糖類は、単糖、オリゴ糖、多糖、及びこれらの混合物からなる群から選択することができる。
【００９０】
単糖は、グルコース、フルクトース、ガラクトース、マンノース、タロース、ソルボース、キシロース、リキソース、フコース、アラビノース、ラムノース、リボース、リブロース、キシルロース、ソルビトール、トリオース、ペントース、ヘキソース、ケトース、グルコサミン、及びこれらの混合物からなる群から選択することができる。
【００９１】
オリゴ糖は、マルトース、ラクトース、ショ糖、セロビオース、トレハロース、スクロース、フルクト-オリゴ糖、デキストリン、及びこれらの混合物からなる群から選択することができる。好ましいオリゴ糖は、2〜10の単糖からなっていてもよい。
【００９２】
多糖は、アルギン酸、グアーガム、キサンタンガム、アラビアガム、アラビノガラクタン、カラギーナン、寒天、カラヤガム、トラガカントガム、タラガム、ペクチン、イナゴマメガム、カードラン、ジェランガム、デキストラン、プルラン、ヒアルロン酸、セルロース及びその誘導体、並びにこれらの混合物から選択することができる。
【００９３】
糖類の誘導体は、エリスリトール、ラクチトール、マルチトール、マンニトール、ソルビトール及びキシリトールからなる群から選択することができ、ここで、そのヒドロキシル基中の少なくとも1個の水素は、アルキル基、ヒドロキシアルキル基、アルコキシ基、アシル基又はカルボニル基等の少なくとも1つの置換基で置き換えられていてもよい。
【００９４】
上記の糖類は、L異性体又はD異性体の形態で存在することができる。
【００９５】
(美容有効成分)
一実施形態によれば、本発明のために使用されるマイクロニードルシートのマイクロニードルの少なくとも1本は、少なくとも1種の美容有効成分を含んでもよい。単一の美容有効成分が使用されうる。2種以上の美容有効成分を組み合わせて使用することができる。
【００９６】
美容有効成分の種類は限定されない。美容有効成分は、美白剤、抗酸化剤、洗浄剤、抗老化剤、皮膚テクスチャトリートメント剤、及びこれらの組合せからなる群から選択することができる。
【００９７】
例えば、抗老化剤を美容有効成分として使用することができる。
【００９８】
抗老化剤の例として、抗酸化剤、保湿剤、フリーラジカル捕捉剤、α-又はβ-ヒドロキシ酸等の角質溶解剤、ビタミンC及びその誘導体及びビタミンE及びその誘導体等のビタミン、抗エラスターゼ剤及び抗コラゲナーゼ剤、プロチド、脂肪酸誘導体、ステロイド、微量元素、漂白剤、扁桃油等の植物油、藻及びプランクトンの抽出物、酵素及び補酵素、フラボノイド及びセラミド、並びにこれらの混合物を挙げることができる。
【００９９】
本発明のために使用されるマイクロニードルシートのマイクロニードル中の美容有効成分の量は限定されず、マイクロニードルの総質量に対して、0.01質量%〜10質量%、好ましくは0.05質量%〜5質量%、より好ましくは0.1質量%〜1質量%であってもよい。
【０１００】
本発明のために使用されるマイクロニードルシートのマイクロニードル中の美容有効成分の量が、マイクロニードルの総質量に対して0.01質量%未満であることもまた可能である。一実施形態では、本発明によるマイクロニードルシートのマイクロニードルは、美容有効成分を全く含まなくてもよい。
【０１０１】
(基材層)
本発明のために使用されるマイクロニードルシートは、その上にマイクロニードルが存在する又は載置される基材層を備える。
【０１０２】
本発明のために使用されるマイクロニードルシートの基材層は、溶解性であっても非溶解性であってもよい。
【０１０３】
本発明のために使用されるマイクロニードルシートの基材層が、水中で溶解性である又は水中で崩壊性であることが好ましい。
【０１０４】
本発明のために使用されるマイクロニードルシートの基材層は、上に説明した少なくとも1種の水溶性又は水分散性ポリマーを含んでもよい。換言すれば、マイクロニードルシートのマイクロニードル中に含まれうる水溶性又は水分散性ポリマーについての上記の説明は、基材層中に含まれうる水溶性又は水分散性ポリマーに当てはまる。
【０１０５】
例えば、本発明のために使用されるマイクロニードルシートの基材層中の水溶性又は水分散性ポリマーの量(固体ベース)は、基材層の総質量に対して、50質量%以上、好ましくは60質量%以上、より好ましくは70質量%以上であってもよい。本発明のために使用されるマイクロニードルシートの基材層中の水溶性又は水分散性ポリマーの量(固体ベース)は、基材層の総質量に対して、100質量%以下、好ましくは90質量%以下、より好ましくは80質量%以下であってもよい。そのため、本発明のために使用されるマイクロニードルシートの基材層中の水溶性又は水分散性ポリマーの量(固体ベース)は、基材層の総質量に対して、50質量%〜100質量%、好ましくは60質量%〜90質量%、より好ましくは70質量%〜80質量%であってもよい。
【０１０６】
基材層とマイクロニードルとは統合されていても統合されていなくてもよい。
【０１０７】
基材層とマイクロニードルとが統合されている場合、基材層とマイクロニードルとは少なくとも1種の共通の水溶性又は水分散性ポリマーを含むことができる。
【０１０８】
そのため、一実施形態では、基材層とマイクロニードルとは、少なくとも1種の共通の水溶性又は水分散性ポリマーを含む単一の構成要素でありうる。好ましくは、その単一の構成要素は、同一の水溶性又は水分散性ポリマーを使用して調製することができる。
【０１０９】
他方、基材とマイクロニードルとが統合されていない場合、即ち基材層がマイクロニードルとは異なる又は別個である場合、基材層とマイクロニードルとは異なる材料から作製されていてもよい。
【０１１０】
そのため、別の実施形態では、基材層とマイクロニードルとは、2種の異なる又は別個の構成要素のアセンブリとすることができる。
【０１１１】
後者の実施形態では、基材層は、例えば繊維又はポリマーフィルムから作製することができる。
【０１１２】
繊維は、綿等の天然繊維、ビスコース等の半天然素材、ポリエステル繊維及びポリプロピレン繊維等の合成繊維、並びにこれらの組合せから作製することができる。多孔質の基層は、織布又は不織布から選択することができる。
【０１１３】
ポリマーフィルムは、合成樹脂、例えばポリウレタン、ポリスチレン、ポリカーボネート、ポリエチレンテレフタレート、ポリ(エチレン-コ-ビニルアルコール)、ポリエチレン、ポリエステル、ポリアミド、及びこれらの組合せから作製することができる。
【０１１４】
基材シートは、パッチ、ディスク、マスク、タオル、グローブ、プレカットロールの形態、又は他の、美容上の使用に好適な任意の形態にあるように切断することができる。
【０１１５】
(追加の層)
本発明のために使用されるマイクロニードルシートは、少なくとも1つの追加の層を備えてもよい。
【０１１６】
一実施形態では、マイクロニードルシートは、追加の層として少なくとも1つの基層を備え、該基層は、基材層上に固定されている。固定するために、基層を基材層上にしっかりと取り付ける任意の手段を使用することができる。例えば、任意の接着剤を、基層を基材層上に固定するために使用することができる。
【０１１７】
基層の形態及び材料は限定されない。
【０１１８】
基層は、多孔質の基層であっても非多孔質の基層であってもよい。
【０１１９】
多孔質の基層は、繊維で構成されていてもよい。繊維は、綿等の天然繊維、ビスコース等の半天然素材、ポリエステル繊維及びポリプロピレン繊維等の合成繊維、並びにこれらの組合せから作製されうる。多孔質の基層は、織布又は不織布から選択することができる。
【０１２０】
非多孔質の基層は、ポリマーフィルムで構成されていてもよい。ポリマーフィルムは、合成樹脂、例えばポリウレタン、ポリスチレン、ポリカーボネート、ポリエチレンテレフタレート、ポリ(エチレン-コ-ビニルアルコール)、ポリエチレン、ポリエステル、ポリアミド、及びこれらの組合せから作製することができる。
【０１２１】
マイクロニードルシートのマイクロニードルと基材層とが異なる又は別個の構成要素である場合、基材層は、基層として機能してもよい。したがって、この事例では、基層が必要でない場合もある。
【０１２２】
一実施形態では、マイクロニードルシートは、追加の層として少なくとも1つの接着剤層を備え、該接着剤層は、基材層又は基層(存在する場合)上に固定されている。
【０１２３】
接着剤層の材料は限定されない。アプリケーターの適用面から取り外すことができる接着剤層を使用することが好ましい。例えば、アプリケーターの適用面から剥がすことができる又は除去することができる接着剤層を使用することが好ましい。
【０１２４】
接着剤層を形成するのに感圧接着剤を使用することが好ましい場合がある。感圧接着剤として、従来の任意の感圧接着剤が使用されうる。感圧接着剤は、少なくとも1種の接着性ポリマーを含んでもよい。接着性ポリマーは、(メタ)アクリレートポリマー、酢酸ビニル-アクリレートコポリマー、ポリイソブチレン、ポリスチレン又はポリブタジエンを含むコポリマー、ロジン系樹脂、ポリテルペン樹脂、石油系樹脂、テルペンフェノール樹脂、シリコーン樹脂、天然又は合成ゴム、及びこれらの混合物からなる群から選択することができる。
【０１２５】
一実施形態では、マイクロニードルシートは、追加の層として少なくとも1つの剥離層を備え、該剥離層は、接着剤層上に載置されている。
【０１２６】
剥離層は、接着剤層を保護することができる。
【０１２７】
剥離層の材料は限定されない。薄いフィルム又はシート、例えば紙を使用することが好ましく、これは、少なくとも1種の剥離剤でコーティングされている。剥離剤として、従来の任意の剥離剤を使用することができる。剥離層が接着剤層から容易に剥がされうることが好ましい。
【０１２８】
剥離層のために少なくとも1つのタブを形成することが好ましく、その理由は、ユーザーが、タブを掴んで剥離層を接着剤層から容易に剥がすことができるためである。タブは、例えば剥離層の先端部又は縁部をわずかに折ることによって形成されうる。
【０１２９】
本発明のために使用されうるマイクロニードルシートの一例を図1に例示する。
【０１３０】
図1は、多層マイクロニードルシート1の一例を示す。多層マイクロニードルシート1は、マイクロニードル1-1、基材層1-2、基層1-3、接着剤層1-4及び剥離層1-5を備える。これらの層は、図1に示す順序で積層される。
【０１３１】
この例では、基材層1-2は、基層1-3とは異なる。しかしながら、基材層1-2の材料が基層1-3の材料と同一である場合、基層1-3を使用しないことが可能である。この事例では、接着剤層1-4は、基材層1-3の上に形成されうる。
【０１３２】
この例では、剥離層1-5はタブ1-5-1を有する。ユーザーは、タブ1-5-1を掴んで剥離層1-5を接着剤層1-4から剥がすことができる。したがって、多層マイクロニードルシート1が使用されるとき、ユーザーは、剥離層1-5を接着剤層1-4から容易に剥がすことができる。
【０１３３】
(調製)
本発明のために使用されるマイクロニードルシートをどのように調製するかに関して制限はない。本発明のために使用されるマイクロニードルシートを、成型、3Dプリンティング及び液滴を保持するエアーブローイング等の従来の技術に基づいて調製することが可能である。
【０１３４】
本発明のために使用されるマイクロニードルシートは、例えば、上に説明した少なくとも1種の水溶性又は水分散性ポリマーを含む組成物を成形する工程を含む方法によって調製することができる。
【０１３５】
一実施形態では、本発明のために使用されるマイクロニードルシートは、
(a)マイクロニードルのネガに対応するキャビティを有する型を用意する工程と、
(b)該キャビティ中に、上に説明した少なくとも1種の水溶性又は水分散性ポリマーを含む組成物を充填する工程と、
(c)該組成物を、例えば、室温で(任意選択で加熱して)、数時間等の期間にわたり乾燥させることによって凝固させて、マイクロニードルシートを形成する工程と、
(d)該マイクロニードルシートを型から外す工程と
を含む、方法によって調製することができる。
【０１３６】
型は、ポリアミド及びシリコーン等の有機材料、及び/又はアルミニウム及び鉄等の無機材料から作製されうる。
【０１３７】
必要な場合、少なくとも1種の蒸発性液状成分を、組成物の流動性を強化するために上記の組成物中に含ませてもよい。蒸発性液状成分の例は限定されないが、好ましくは水、及びエタノール等のアルコールでありうる。
【０１３８】
蒸発性液状成分の量は、組成物の総質量に対して、10質量%以上、好ましくは20質量%以上、より好ましくは30質量%以上であってもよい。蒸発性液状成分の量は、組成物の総質量に対して、98質量%以下、好ましくは95質量%以下、より好ましくは90質量%以下であってもよい。そのため、蒸発性液状成分の量は、組成物の総質量に対して、10質量%〜98質量%、好ましくは20質量%〜95質量%、より好ましくは30質量%〜90質量%であってもよい。
【０１３９】
好ましくは流動することができ、より好ましくは液体の形態にある、上記の組成物中の水溶性又は水分散性ポリマーの量は、組成物の総質量に対して、2質量%〜90質量%、好ましくは5質量%〜50質量%、より好ましくは5質量%〜30質量%であってもよい。
【０１４０】
必要な場合、上記の組成物は、上に説明したように、上に説明した膨潤性ポリマー等の少なくとも1種の追加のポリマー、及び/又は少なくとも1種のポリオール、及び/又は少なくとも1種の美容有効成分を含んでもよい。
【０１４１】
マイクロニードルと基材層とは、上記の成形方法によって同時に調製されうる。この事例では、型がまた、基材層用のキャビティを有し、型中のマイクロニードル用のキャビティが、基材層用のキャビティに連結していることが好ましい。そのため、基材層とマイクロニードルとは、単一の構成要素として調製されうる。
【０１４２】
マイクロニードルシートのマイクロニードルと基材層とが異なる又は別個の構成要素である場合、マイクロニードルは、上記の成形方法によって調製されて、別に形成される基材層上に固定されうる。
【０１４３】
本発明のために使用されるマイクロニードルシートの形状は限定されず、それは、マイクロニードルシートの適用標的に応じて、唇の形状、又は顔面上の適用に好適な形状等の任意の形状であってもよい。
【０１４４】
{アプリケーター}
本発明によるキットは、少なくとも1個のアプリケーターを含む。
【０１４５】
アプリケーターは、少なくとも1つの適用面を備える。アプリケーターの適用面は、皮膚、とりわけ顔面の皮膚、並びに唇等のケラチン物質に適用されうる。アプリケーターの適用面は、ケラチン物質と接触することができる。
【０１４６】
マイクロニードルシートの基材層は、アプリケーターの適用面に取り付けられることが可能である。したがって、マイクロニードルシートは、適用面に取り付けられることが可能である。
【０１４７】
マイクロニードルシートの基材層をアプリケーターの適用面に取り付ける手段は限定されない。例えば、アプリケーターの適用面が凸面を有してもよく、マイクロニードルの基材層がその凸面に挿入されてもよい。
【０１４８】
マイクロニードルシートの基材層が、アプリケーターの適用面に、接着剤で、より好ましくは適用面から剥がせる又は除去できる接着剤で、更により好ましくは感圧接着剤で、取り付け可能であることが好ましい。
【０１４９】
マイクロニードルシートが、少なくとも1つの接着剤層を備え、マイクロニードルシートの接着剤層がアプリケーターの適用面に取り付けられることが好ましい。
【０１５０】
例えば、図1に示す例に関して、マイクロニードルシート1が使用されるとき、剥離層1-5は、接着剤層1-4の面から剥がされ、接着剤層1-4がアプリケーターの適用面に取り付けられる。
【０１５１】
適用面は、平面であっても曲面(非平面)であってもよい。
【０１５２】
アプリケーターの種類は、アプリケーターが少なくとも1つの適用面を備えている限り限定されない。
【０１５３】
適用面が曲面である場合、例えば曲面の側面を有する少なくとも1個の円筒形ローラー(ここで、円筒形ローラーの曲面の側面は適用面を備える)を備えたアプリケーターが、アプリケーターとして使用されうる。
【０１５４】
図2は、このようなアプリケーターの例を示す。図2で示すアプリケーター2は、曲面の側面2-1-1を有するローラー2-1を有し、ローラー2-1の曲面の側面2-1-1は、そこにマイクロニードルシートの基材層が取り付けられうる適用面を備える。
【０１５５】
アプリケーター2はまた、ハンドル2-2も有する。アプリケーター2のユーザーは、ハンドル2-2を掴んでアプリケーター2を使用することができる。
【０１５６】
マイクロニードルシートが使用されるとき、マイクロニードルシートの基材層は、アプリケーター2の曲面の側面2-1-1の上の適用面に取り付けられる。
【０１５７】
図3は、そこにマイクロニードルシート1の基材層が取り付けられているアプリケーター2を示す。マイクロニードルシート1は、マイクロニードルシート1の基材層が適用面と接触するように、ローラー2-1の曲面の側面上の適用面に取り付けられる。そのため、マイクロニードルシート1のマイクロニードルは、ローラー2の曲面の側面上に立つことができる。
【０１５８】
ローラー2-1の曲面の側面の少なくとも一部がマイクロニードルシート1に被われていてもよい。ローラー2-1の曲面の側面の全体がマイクロニードルシート1に被われていることが好ましい。
【０１５９】
図4は、マイクロニードルシート1を有するアプリケーター2をどのように使用するかを示す。
【０１６０】
マイクロニードルシート1が使用されるとき、図3で示すように、マイクロニードルシート1の基材層は、ローラー2-1の曲面の側面の適用面に取り付けられ、マイクロニードルシート1を有するアプリケーター2は、ローラー2-1がケラチン物質3上で転がるように、皮膚等のケラチン物質3上に適用される。
【０１６１】
アプリケーター2上のマイクロニードルシート1のマイクロニードルは、ケラチン物質内に穿通して、ケラチン物質に、マイクロニードル由来の美容効果をもたらすことができる。
【０１６２】
他方、適用面が平面である場合、例えば、少なくとも1つの平面(ここで、該平面は適用面を備える)を有する少なくとも1個のスタンプを備えたアプリケーターが、アプリケーターとして使用されうる。
【０１６３】
適用面の形状は限定されない。適用面は、適用の標的ゾーンに応じて、丸い形状、長方形の形状及び三角形の形状等の任意の形状のものであってもよい。
【０１６４】
図5は、このようなアプリケーターの例を示す。図5で示すアプリケーター2'は、平底面2'-1-1を有するスタンプ2'-1を有し、スタンプ2'-1の平底面2'-1-1は、そこにマイクロニードルシートの基材層が取り付けられうる適用面を備える。
【０１６５】
アプリケーター2'はまた、ハンドル2'-2も有する。アプリケーター2'のユーザーは、ハンドル2'-2を掴んでアプリケーター2'を使用することができる。
【０１６６】
マイクロニードルシートが使用されるとき、マイクロニードルシートは、マイクロニードルシートの基材層が適用面と接触するように、スタンプ2'-1の平底面2'-1-1上の適用面に取り付けられる。そのため、マイクロニードルシートのマイクロニードルは、スタンプ2'-1の平底面2'-1-1上に立つことができる。
【０１６７】
スタンプ2'-1の平底面2'-1-1の少なくとも一部がマイクロニードルシートに被われていてもよい。スタンプ2'-1の平底面2'-1-1の全体がマイクロニードルシートに被われていることが好ましい。
【０１６８】
マイクロニードルシートの基材層がスタンプ2'-1の平底面2'-1-1の適用面に取り付けられた後に、マイクロニードルを有するスタンプ2'-1の平底面2'-1-1が皮膚等のケラチン物質上にスタンプされうるように、マイクロニードルシートを有するアプリケーター2'は、皮膚等のケラチン物質3上に適用される。
【０１６９】
アプリケーター2'上のマイクロニードルシートのマイクロニードルは、ケラチン物質内に穿通して、ケラチン物質に、マイクロニードル由来の美容効果をもたらすことができる。
【０１７０】
{容器}
本発明によるキットは、少なくとも1つの容器を含んでもよい。
【０１７１】
マイクロニードルシート、詳細にはマイクロニードルシートのマイクロニードルを保護するために、容器はマイクロニードルシートを備えることができる。したがって、マイクロニードルを壊すことなく、マイクロニードルシートの安全な保管を実施することが可能である。
【０１７２】
容器が少なくとも1種の軟質の及び/又は多孔質の物品を備えていることが好ましい。マイクロニードルシートのマイクロニードルは、軟質の物品中へ確実に穿通することができ、又は使用されていないときに多孔質の物品の孔の中に載置されうる。
【０１７３】
軟質の及び/又は多孔質の物品は、マイクロニードルへの損傷を低減する又は除去することができる。したがって、軟質の及び/又は多孔質の物品の使用は、マイクロニードルをより確実に保護することができる。
【０１７４】
軟質の物品は、少なくとも1種の軟質の合成樹脂で構成されていてもよい。軟質の合成樹脂は、ポリウレタン、ポリスチレン、ポリカーボネート、ポリエチレンテレフタレート、ポリ(エチレン-コ-ビニルアルコール)、ポリエチレン、ポリエステル、ポリアミド、及びこれらの組合せから選択することができ、これは、少なくとも1種の軟化剤を含んでもよい。
【０１７５】
多孔質の物品は、繊維で構成されていてもよい。繊維は、綿等の天然繊維、ビスコース等の半天然素材、ポリエステル及びポリプロピレン繊維等の合成繊維、及びこれらの組合せから作製されうる。多孔質の物品は、織布又は不織布から選択することができる。
【０１７６】
軟質で多孔質の物品は、スポンジで構成されていてもよい。スポンジは、発泡可撓性ポリウレタン等の発泡合成樹脂で作製されていてもよい。
【０１７７】
軟質の及び/又は多孔質の物品がシートの形態にあることが好ましい。軟質の及び/又は多孔質のシートは、マイクロニードルの高さよりも大きい厚さを有していなければならない。例えば、マイクロニードルが100〜400ミクロンの高さを有する場合、軟質の及び/又は多孔質のシートの厚さは200〜500ミクロンでなければならない。
【０１７８】
図6は、容器の例を示す。図6では、容器4は、開口部を有するトレイの形状にある。容器4の材料は限定されない。例えば、金属及び合成樹脂から選択される少なくとも1種が、容器4の材料として使用されうる。
【０１７９】
図6に示す例では、容器4は、多孔質シート5を備える。多孔質シート5は、スポンジ、又は織布若しくは不織布から作製される。
【０１８０】
図6に示すように、マイクロニードルシート1が使用されていないとき、マイクロニードルシート1は容器4の中に保管され、マイクロニードルシート1のマイクロニードルは、保護されるべく、多孔質シート5中へ穿通することができる。そのため、マイクロニードルシート1は、マイクロニードルの保護を伴って保管されうる。
【０１８１】
容器中のマイクロニードルシートが、容器4の開口部、又は容器4の開口部と容器4自体との両方を、例えば薄い透明の樹脂フィルム等の薄いフィルムで被うことによって包装されることが好ましい場合がある。
【０１８２】
{化粧用組成物}
本発明によるキットは、少なくとも1種の化粧用組成物を含んでもよい。
【０１８３】
化粧用組成物は、ケラチン物質用の、トリートメント前又はトリートメント後の組成物として使用されうる。
【０１８４】
化粧用組成物は、少なくとも1種の油、及び水を含んでもよく、好ましくはO/Wエマルションの形態にある。
【０１８５】
(油)
本発明のために使用されうる化粧用組成物は、少なくとも1種の油を含んでもよい。2種以上の油が使用される場合、それらは同一であっても異なっていてもよい。
【０１８６】
本明細書では、「油」は、大気圧(760mmHg)下の室温(25℃)で液体又はペースト(非固体)の形態である脂肪化合物又は脂肪物質を意味する。油として、化粧料中で一般に使用されるものを、単独で又はそれらを組み合わせて使用することができる。これらの油は、揮発性であっても不揮発性であってもよい。
【０１８７】
油は、炭化水素油、シリコーン油等の無極性油、植物油若しくは動物油及びエステル油若しくはエーテル油等の極性油、又はこれらの混合物であってもよい。
【０１８８】
油は、植物又は動物起源の油、合成油、シリコーン油、炭化水素油、及び脂肪アルコールからなる群から選択することができる。
【０１８９】
植物油の例としては、例えばアマニ油、ツバキ油、マカデミアナッツ油、コーン油、ミンク油、オリーブ油、アボカド油、サザンカ油、ヒマシ油、サフラワー油、ホホバ油、ヒマワリ油、アーモンド油、アブラナ種子油、ゴマ油、ダイズ油、ピーナツ油、及びこれらの混合物を挙げることができる。
【０１９０】
動物油の例としては、例えばスクアレン及びスクアランを挙げることができる。
【０１９１】
合成油の例としては、アルカン油、例えばイソドデカン及びイソヘキサデカン、エステル油、エーテル油、並びに人工トリグリセリドを挙げることができる。
【０１９２】
エステル油は、好ましくは、飽和又は不飽和の、直鎖状又は分枝状のC1〜C26脂肪族一酸又は多酸と、飽和又は不飽和の、直鎖状又は分枝状のC1〜C26脂肪族モノアルコール又はポリアルコールとの液状エステルであり、これらのエステルの合計炭素原子数は10以上である。
【０１９３】
好ましくは、モノアルコールのエステルでは、本発明のエステルが由来するアルコール及び酸の中からの少なくとも1種は分枝状である。
【０１９４】
一酸とモノアルコールとのモノエステルの中では、パルミチン酸エチル、パルミチン酸エチルヘキシル、パルミチン酸イソプロピル、炭酸ジカプリリル、アルキルミリステート、例えばミリスチン酸イソプロピル又はミリスチン酸エチル、ステアリン酸イソセチル、イソノナン酸2-エチルヘキシル、イソノナン酸イソノニル、ネオペンタン酸イソデシル及びネオペンタン酸イソステアリルを挙げることができる。
【０１９５】
C4〜C22ジカルボン酸又はトリカルボン酸と、C1〜C22アルコールとのエステル、並びに、モノカルボン酸、ジカルボン酸又はトリカルボン酸と、非糖C4〜C26ジヒドロキシ、トリヒドロキシ、テトラヒドロキシ又はペンタヒドロキシアルコールとのエステルもまた使用されうる。
【０１９６】
特に挙げることができるのは、セバシン酸ジエチル、ラウロイルサルコシン酸イソプロピル、セバシン酸ジイソプロピル、セバシン酸ビス(2-エチルヘキシル)、アジピン酸ジイソプロピル、アジピン酸ジ-n-プロピル、アジピン酸ジオクチル、アジピン酸ビス(2-エチルヘキシル)、アジピン酸ジイソステアリル、マレイン酸ビス(2-エチルヘキシル)、クエン酸トリイソプロピル、クエン酸トリイソセチル、クエン酸トリイソステアリル、トリ乳酸グリセリル、トリオクタン酸グリセリル、クエン酸トリオクチルドデシル、クエン酸トリオレイル、ジヘプタン酸ネオペンチルグリコール、ジイソノナン酸ジエチレングリコールである。
【０１９７】
エステル油として、C6〜C30の、好ましくはC12〜C22の脂肪酸の糖エステル及びジエステルを使用することができる。用語「糖」が、アルデヒド又はケトン官能基の有無にかかわらず、いくつかのアルコール官能基を含有し、且つ少なくとも4個の炭素原子を含む、酸素を保持する炭化水素系化合物を意味することが想起される。これらの糖は、単糖、オリゴ糖又は多糖であってもよい。
【０１９８】
挙げることができる好適な糖の例には、スクロース(又はショ糖)、グルコース、ガラクトース、リボース、フコース、マルトース、フルクトース、マンノース、アラビノース、キシロース及びラクトース、並びにそれらの誘導体、特にメチル誘導体等のアルキル誘導体、例としてはメチルグルコースが含まれる。
【０１９９】
脂肪酸の糖エステルは、前述の糖と、直鎖状若しくは分枝状の、飽和若しくは不飽和のC6〜C30、好ましくはC12〜C22の脂肪酸とのエステル又はエステル混合物からなる群から特に選ぶことができる。それらが不飽和である場合、これらの化合物は、1〜3個の共役又は非共役の炭素-炭素二重結合を有することができる。
【０２００】
この変形形態によるエステルはまた、モノエステル、ジエステル、トリエステル、テトラエステル及びポリエステル、並びにこれらの混合物から選択することができる。
【０２０１】
これらのエステルは、例えば、オレイン酸エステル、ラウリン酸エステル、パルミチン酸エステル、ミリスチン酸エステル、ベヘン酸エステル、ココナツ酸エステル、ステアリン酸エステル、リノール酸エステル、リノレン酸エステル、カプリン酸エステル及びアラキドン酸エステル、又はこれらの混合物、例えば、特にオレオパルミチン酸とオレオステアリン酸とパルミトステアリン酸との混合エステル、並びにテトラエチルヘキサン酸ペンタエリスリチルであってもよい。
【０２０２】
より特定すると、モノエステル及びジエステル、とりわけスクロース、グルコース、又はメチルグルコースのモノオレイン酸エステル若しくはジオレイン酸エステル、ステアリン酸エステル、ベヘン酸エステル、オレオパルミチン酸エステル、リノール酸エステル、リノレン酸エステル、及びオレオステアリン酸エステルが使用される。
【０２０３】
挙げることができる一例は、Amerchol社により名称Glucate(登録商標)DOで販売されている製品であり、これはジオレイン酸メチルグルコースである。
【０２０４】
好ましいエステル油の例としては、例えば、アジピン酸ジイソプロピル、アジピン酸ジオクチル、ヘキサン酸2-エチルヘキシル、ラウリン酸エチル、オクタン酸セチル、オクタン酸オクチルドデシル、ネオペンタン酸イソデシル、プロピオン酸ミリスチル、2-エチルヘキサン酸2-エチルヘキシル、オクタン酸2-エチルヘキシル、(カプリル酸/カプリン酸)2-エチルヘキシル、パルミチン酸メチル、パルミチン酸エチル、パルミチン酸イソプロピル、炭酸ジカプリリル、ラウロイルサルコシン酸イソプロピル、イソノナン酸イソノニル、パルミチン酸エチルヘキシル、ラウリン酸イソヘキシル、ラウリン酸ヘキシル、ステアリン酸イソセチル、イソステアリン酸イソプロピル、ミリスチン酸イソプロピル、オレイン酸イソデシル、トリ(2-エチルヘキサン酸)グリセリル、テトラ(2-エチルヘキサン酸)ペンタエリスリチル、コハク酸2-エチルヘキシル、セバシン酸ジエチル、及びこれらの混合物を挙げることができる。
【０２０５】
人工トリグリセリドの例としては、例えば、カプリルカプリリルグリセリド、トリミリスチン酸グリセリル、トリパルミチン酸グリセリル、トリリノレン酸グリセリル、トリラウリン酸グリセリル、トリカプリン酸グリセリル、トリカプリル酸グリセリル、トリ(カプリン酸/カプリル酸)グリセリル及びトリ(カプリン酸/カプリル酸/リノレン酸)グリセリルを挙げることができる。
【０２０６】
シリコーン油の例として、例えば、直鎖状オルガノポリシロキサン、例えばジメチルポリシロキサン、メチルフェニルポリシロキサン、メチルハイドロジェンポリシロキサン等;環状オルガノポリシロキサン、例えばシクロヘキサシロキサン、オクタメチルシクロテトラシロキサン、デカメチルシクロペンタシロキサン、ドデカメチルシクロヘキサシロキサン等;並びにこれらの混合物を挙げることができる。
【０２０７】
好ましくは、シリコーン油は、液状ポリジアルキルシロキサン、特に少なくとも1つのアリール基を含む液状ポリジメチルシロキサン(PDMS)及び液状ポリオルガノシロキサンから選ばれる。
【０２０８】
これらのシリコーン油はまた、有機変性されていてもよい。本発明により使用されうる有機変性シリコーンは、上に定義しているシリコーン油であり、且つそれらの構造中に、炭化水素系基を介して結合されている1つ又は複数の有機官能基を含むシリコーン油である。
【０２０９】
オルガノポリシロキサンは、Walter Nollの「Chemistry and Technology of Silicones」(1968)、Academic Pressで詳細に定義されている。それらは、揮発性であっても不揮発性であってもよい。
【０２１０】
それらが揮発性であるとき、シリコーンは、より詳細には、沸点が60℃から260℃の間であるものから選ばれ、更により詳細には以下から選ばれる:
(i)3〜7個、好ましくは4〜5個のケイ素原子を含む環状ポリジアルキルシロキサン。これらは、例えば、特にUnion Carbide社により名称Volatile Silicone(登録商標)7207で、又はRhodia社により名称Silbione(登録商標)70045 V2で販売されているオクタメチルシクロテトラシロキサン、Union Carbide社により名称Volatile Silicone(登録商標)7158で、Rhodia社により名称Silbione(登録商標)70045 V5で販売されているデカメチルシクロペンタシロキサン、及びMomentive Performance Materials社により名称Silsoft 1217で販売されているドデカメチルシクロペンタシロキサン、並びにこれらの混合物である。Union Carbide社により販売されているSilicone Volatile(登録商標)FZ 3109等の、以下の式:
【０２１１】
【化１】
2020099513.tif 000003
【０２１２】
のジメチルシロキサン/メチルアルキルシロキサン等の型のシクロコポリマーもまた挙げることができる。
環状ポリジアルキルシロキサンと有機ケイ素化合物との混合物、例えばオクタメチルシクロテトラシロキサンとテトラトリメチルシリルペンタエリスリトールとの混合物(50/50)、及びオクタメチルシクロテトラシロキサンとオキシ-1,1'-ビス(2,2,2',2',3,3'-ヘキサトリメチルシリルオキシ)ネオペンタンとの混合物もまた挙げることができ、並びに
(ii)2〜9個のケイ素原子を含有し、25℃で5×10-6m2/s以下の粘度を有する直鎖状揮発性ポリジアルキルシロキサン。一例は、特にToray Silicone社により名称SH 200で販売されているデカメチルテトラシロキサンである。この分類に属するシリコーンはまた、Cosmetics and Toiletries、第91巻、76年1月、27〜32頁、Todd & Byers、Volatile Silicone Fluids for Cosmeticsにおいて公表されている論文に記載されている。シリコーンの粘度は、ASTM規格445 Appendix Cに従って25℃で測定される。
【０２１３】
不揮発性ポリジアルキルシロキサンもまた使用されてもよい。これらの不揮発性シリコーンは、より詳細には、ポリジアルキルシロキサンから選ばれ、その中では、トリメチルシリル末端基を含有するポリジメチルシロキサンを主に挙げることができる。
【０２１４】
これらのポリジアルキルシロキサンの中で、非限定的に、以下の市販製品を挙げることができる:
-  Rhodia社により販売されているSilbione(登録商標)油の47及び70 047シリーズ又はMirasil(登録商標)油、例としては70 047 V 500 000油、
-  Rhodia社により販売されているMirasil(登録商標)シリーズの油、
-  Dow Corning社製の200シリーズの油、例えば粘度が60 000mm2/秒であるDC200、並びに
-  General Electric社製のViscasil(登録商標)油、及びGeneral Electric社製のSFシリーズの一定の油(SF 96、SF 18)。
【０２１５】
名称ジメチコノール(CTFA)で知られる、ジメチルシラノール末端基を含有するポリジメチルシロキサン、例えばRhodia社製の48シリーズの油もまた挙げることができる。
【０２１６】
アリール基を含有するシリコーンの中で、ポリジアリールシロキサン、特にポリジフェニルシロキサン及びポリアルキルアリールシロキサン、例えばフェニルシリコーン油を挙げることができる。
【０２１７】
フェニルシリコーン油は、次式:
【０２１８】
【化２】
2020099513.tif 000004
【０２１９】
(式中、
R1〜R10は、互いに独立に、飽和又は不飽和の、直鎖状、環状又は分枝状のC1〜C30炭化水素系基、好ましくはC1〜C12炭化水素系基、より好ましくはC1〜C6炭化水素系基、特にメチル、エチル、プロピル又はブチルの各基であり、
m、n、p及びqは、互いに独立に、両端を含んで0〜900、好ましくは両端を含んで0〜500、より好ましくは両端を含んで0〜100の整数であり、
但し、和n+m+qは0以外である)
のフェニルシリコーンから選ぶことができる。
【０２２０】
挙げることができる例には、以下の名称で販売されている製品が含まれる:
-  Rhodia社製のSilbione(登録商標)油の70 641シリーズ、
-  Rhodia社製のRhodorsil(登録商標)70 633シリーズ及び763シリーズの油、
-  Dow Corning社製のDow Corning 556 Cosmetic Grade Fluid油、
-  Bayer社製のPKシリーズのシリコーン、例えばPK20製品、
-  General Electric社製のSFシリーズの一定の油、例えばSF 1023、SF 1154、SF 1250及びSF 1265。
【０２２１】
フェニルシリコーン油として、フェニルトリメチコン(上記の式中、R1〜R10は、メチルであり、p、q及びn=0であり、m=1である)が好ましい。
【０２２２】
有機修飾液状シリコーンは、特に、ポリエチレンオキシ基及び/又はポリプロピレンオキシ基を含有してもよい。そのため、信越化学工業株式会社により提案されているシリコーンKF-6017、並びにUnion Carbide社製のSilwet(登録商標)L722油及びL77油を挙げることができる。
【０２２３】
炭化水素油は、以下から選ぶことができる:
-  直鎖状又は分枝状の、任意選択で環状のC6〜C16低級アルカン。挙げることができる例には、ヘキサン、ウンデカン、ドデカン、トリデカン及びイソパラフィン、例としてはイソヘキサデカン、イソドデカン及びイソデカンが含まれる、並びに
-  16個超の炭素原子を含有する直鎖状又は分枝状の炭化水素、例えば流動パラフィン、液状ワセリン(petroleum jelly)、ポリデセン及び水添ポリイソブテン、例えばParleam(登録商標)、並びにスクアラン。
【０２２４】
炭化水素油の好ましい例としては、例えば、直鎖状又は分枝状の炭化水素、例えばイソヘキサデカン、イソドデカン、スクアラン、鉱物油(例えば流動パラフィン)、パラフィン、ワセリン又は石油、ナフタレン等;水添ポリイソブテン、イソエイコサン及びデセン/ブテンコポリマー;並びにこれらの混合物を挙げることができる。
【０２２５】
脂肪アルコールにおける用語「脂肪」は、比較的多数の炭素原子が含まれるものを意味する。そのため、4個以上、好ましくは6個以上、より好ましくは12個以上の炭素原子を有するアルコールが、脂肪アルコールの範囲内に包含される。脂肪アルコールは、飽和であっても不飽和であってもよい。脂肪アルコールは、直鎖状であっても分枝状であってもよい。
【０２２６】
脂肪アルコールは、構造R-OH(式中、Rは、4〜40個の炭素原子、好ましくは6〜30個の炭素原子、より好ましくは12〜20個の炭素原子を含有する、飽和及び不飽和の、直鎖状及び分枝状の基から選ばれる)を有してもよい。少なくとも1つの実施形態では、Rは、C12〜C20アルキル基及びC12〜C20アルケニル基から選ばれてもよい。Rは、少なくとも1つのヒドロキシル基で置換されていても置換されていなくてもよい。
【０２２７】
脂肪アルコールの例として、ラウリルアルコール、セチルアルコール、ステアリルアルコール、イソステアリルアルコール、ベヘニルアルコール、ウンデシレニルアルコール、ミリスチルアルコール、オクチルドデカノール、ヘキシルデカノール、オレイルアルコール、リノレイルアルコール、パルミトレイルアルコール、アラキドニルアルコール、エルシルアルコール、及びこれらの混合物を挙げることができる。
【０２２８】
脂肪アルコールが飽和脂肪アルコールであることが好ましい。
【０２２９】
そのため、脂肪アルコールは、直鎖状若しくは分枝状の、飽和又は不飽和のC6〜C30アルコール、好ましくは直鎖状若しくは分枝状の、飽和C6〜C30アルコール、更に好ましくは、直鎖状若しくは分枝状の、飽和C12〜C20アルコールから選択することができる。
【０２３０】
用語「飽和脂肪アルコール」は、本明細書では、長鎖の脂肪族飽和炭素鎖を有するアルコールを意味する。飽和脂肪アルコールが、任意の直鎖状又は分枝状の、飽和C6〜C30脂肪アルコールから選択されることが好ましい。直鎖状又は分枝状の、飽和C6〜C30脂肪アルコールの中では、直鎖状又は分枝状の、飽和C12〜C20脂肪アルコールを、好ましくは使用することができる。任意の直鎖状又は分枝状の、飽和C16〜C20脂肪アルコールを、より好ましくは使用することができる。分枝状C16〜C20脂肪アルコールを、更により好ましくは使用することができる。
【０２３１】
飽和脂肪アルコールの例として、ラウリルアルコール、セチルアルコール、ステアリルアルコール、イソステアリルアルコール、ベヘニルアルコール、ウンデシレニルアルコール、ミリスチルアルコール、オクチルドデカノール、ヘキシルデカノール、及びこれらの混合物を挙げることができる。一実施形態では、セチルアルコール、ステアリルアルコール、オクチルドデカノール、ヘキシルデカノール、又はこれらの混合物(例えばセテアリルアルコール)、並びにベヘニルアルコールを、飽和脂肪アルコールとして使用することができる。
【０２３２】
少なくとも1つの実施形態によれば、本発明のために使用されうる化粧用組成物中で使用される脂肪アルコールは、セチルアルコール、オクチルドデカノール、ヘキシルデカノール、及びこれらの混合物から好ましくは選ばれる。
【０２３３】
油が、エステル油、炭化水素油、シリコーン油、脂肪アルコール、及びこれらの混合物から選ばれることが好ましい場合がある。
【０２３４】
本発明のために使用されうる化粧用組成物中の油の量は、化粧用組成物の総質量に対して、1質量%以上、好ましくは5質量%以上、より好ましくは10質量%以上であってもよい。本発明のために使用されうる化粧用組成物中の油の量は、化粧用組成物の総質量に対して、30質量%以下、好ましくは25質量%以下、より好ましくは20質量%以下であってもよい。本発明のために使用されうる化粧用組成物中の油の量は、化粧用組成物の総質量に対して、1質量%〜30質量%、好ましくは5質量%〜25質量%、より好ましくは10質量%〜20質量%であってもよい。
【０２３５】
油は、本発明のために使用されうる化粧用組成物の脂肪相を形成することができる。
【０２３６】
本発明のために使用されうる化粧用組成物がO/Wエマルションの形態にある場合、油は、O/Wエマルション中の分散した脂肪相を形成することができる。
【０２３７】
(水)
本発明のために使用されうる化粧用組成物は、水を含んでもよい。
【０２３８】
水の量は、化粧用組成物の総質量に対して、50質量%以上、好ましくは55質量%以上、より好ましくは60質量%以上であってもよい。水の量は、化粧用組成物の総質量に対して、95質量%以下、好ましくは90質量%以下、より好ましくは85質量%以下であってもよい。本発明のために使用されうる化粧用組成物中の水の量は、化粧用組成物の総質量に対して、50質量%〜95質量%、好ましくは55質量%〜90質量%、より好ましくは60%質量%〜85質量%の範囲であってもよい。
【０２３９】
水は、本発明のために使用されうる化粧用組成物の水性相を形成することができる。
【０２４０】
本発明のために使用されうる化粧用組成物がO/Wエマルションの形態にある場合、水は、O/Wエマルション中の連続水性相を形成することができる。
【０２４１】
(界面活性剤)
本発明のために使用されうる化粧用組成物は、少なくとも1種の界面活性剤を含んでもよい。2種以上の界面活性剤が使用される場合、それらは同一であっても異なっていてもよい。
【０２４２】
任意の界面活性剤が、本発明のために使用されうる。本発明において使用されうる界面活性剤は、アニオン性界面活性剤、両性界面活性剤、カチオン性界面活性剤及び非イオン性界面活性剤からなる群から選択することができる。2種以上の界面活性剤が組み合わせて使用されうる。そのため、単一の種類の界面活性剤、又は異なる種類の界面活性剤の組合せを使用することができる。
【０２４３】
アニオン性界面活性剤
本発明によれば、アニオン性界面活性剤の種類は限定されない。アニオン性界面活性剤が、(C6〜C30)アルキルスルフェート、(C6〜C30)アルキルエーテルスルフェート、(C6〜C30)アルキルアミドエーテルスルフェート、アルキルアリールポリエーテルスルフェート及びモノグリセリドスルフェート;(C6〜C30)アルキルスルホネート、(C6〜C30)アルキルアミドスルホネート、(C6〜C30)アルキルアリールスルホネート、α-オレフィンスルホネート及びパラフィンスルホネート;(C6〜C30)アルキルホスフェート;(C6〜C30)アルキルスルホスクシネート、(C6〜C30)アルキルエーテルスルホスクシネート及び(C6〜C30)アルキルアミドスルホスクシネート;(C6〜C30)アルキルスルホアセテート;(C6〜C24)アシルサルコシネート;(C6〜C24)アシルグルタメート;(C6〜C30)アルキルポリグリコシドカルボキシルエーテル;(C6〜C30)アルキルポリグリコシドスルホスクシネート;(C6〜C30)アルキルスルホスクシナメート;(C6〜C24)アシルイセチオネート;N-(C6〜C24)アシルタウレート;C6〜C30脂肪酸塩;ココナツ油酸塩又は水添ココナツ油酸塩;(C8〜C20)アシル乳酸塩;(C6〜C30)アルキル-D-ガラクトシドウロン酸塩;ポリオキシアルキレン化(C6〜C30)アルキルエーテルカルボン酸塩;ポリオキシアルキレン化(C6〜C30)アルキルアリールエーテルカルボン酸塩;及びポリオキシアルキレン化(C6〜C30)アルキルアミドエーテルカルボン酸塩からなる群から選択されることが好ましい。
【０２４４】
アニオン性界面活性剤が、(C6〜C30)アルキルスルフェート又はポリオキシアルキレン化(C6〜C30)アルキルエーテルカルボン酸塩から選択されることがより好ましい。
【０２４５】
少なくとも一実施形態では、ア二オン性界面活性剤は塩の形態にあり、例えばアルカリ金属(例としてはナトリウム)の塩;アルカリ土類金属(例としてはマグネシウム)の塩;アンモニウム塩;アミン塩;及びアミノアルコール塩である。条件によっては、アニオン性界面活性剤は酸の形態にあってもよい。
【０２４６】
両性界面活性剤
本発明によれば、両性界面活性剤の種類は限定されない。両性又は双性イオン性界面活性剤は、例えば(非限定的列挙)、アミン誘導体、例えば脂肪族第二級又は第三級アミン、及び任意選択で四級化されているアミン誘導体であってもよく、ここで、脂肪族基は、8〜22個の炭素原子を含んで少なくとも1つの水可溶化アニオン性基を含有する直鎖又は分枝鎖(例えばカルボキシレート、スルホネート、スルフェート、ホスフェート又はホスホネート)である。
【０２４７】
両性界面活性剤は、好ましくは、ベタイン及びアミドアミンカルボキシル化誘導体からなる群から選択することができる。
【０２４８】
ベタイン型両性界面活性剤は、アルキルベタイン、アルキルアミドアルキルベタイン、スルホベタイン、ホスホベタイン及びアルキルアミドアルキルスルホベタイン、具体的には(C8〜C24)アルキルベタイン、(C8〜C24)アルキルアミド(C1〜C8)アルキルベタイン、スルホベタイン及び(C8〜C24)アルキルアミド(C1〜C8)アルキルスルホベタインからなる群から好ましくは選択される。一実施形態では、ベタイン型両性界面活性剤は、(C8〜C24)アルキルベタイン、(C8〜C24)アルキルアミド(C1〜C8)アルキルスルホベタイン、スルホベタイン及びホスホベタインから選ばれる。
【０２４９】
挙げることができる非限定的な例には、CTFA辞典、第9版、2002年において、単独で又は混合物として、名称ココベタイン、ラウリルベタイン、セチルベタイン、ココ/オレアミドプロピルベタイン、コカミドプロピルベタイン、パルミタミドプロピルベタイン、ステアラミドプロピルベタイン、コカミドエチルベタイン、コカミドプロピルヒドロキシスルタイン、オレアミドプロピルヒドロキシスルタイン、ココヒドロキシスルタイン、ラウリルヒドロキシスルタイン及びココスルタインで分類されている化合物が含まれる。
【０２５０】
ベタイン型両性界面活性剤は、好ましくは、アルキルベタイン及びアルキルアミドアルキルベタイン、特にココベタイン及びコカミドプロピルベタインである。
【０２５１】
アミドアミンカルボキシル化誘導体の中では、名称Miranolで販売されている製品を挙げることができ、これらは、米国特許第2528378号及び第2781354号に記載されており、CTFA辞典、第3版、1982年(その開示は参照により本明細書に組み込まれる)で名称アンホカルボキシグリシネート及びアンホカルボキシプロピオネートで分類されており、それぞれの構造は以下である
R1-CONHCH2CH2-N+(R2)(R3)(CH2COO-)
(式中、
R1は、加水分解ココナツ油中に存在する酸R1-COOHのアルキル基、ヘプチル、ノニル又はウンデシル基を示し、
R2は、β-ヒドロキシエチル基を示し、
R3は、カルボキシメチル基を示す)
並びに
R1'-CONHCH2CH2-N(B)(C)
(式中、
Bは、-CH2CH2OX'を表し、
Cは、-(CH2)z-Y'を表し、式中、z=1又は2であり、
X'は、-CH2CH2-COOH基、-CH2-COOZ'、-CH2CH2-COOH、-CH2CH2-COOZ'又は水素原子を示し、
Y'は、-COOH基、-COOZ'基、-CH2-CHOH-SO3Z'基又は-CH2-CHOH-SO3H基を示し、
Z'は、アルカリ金属又はアルカリ土類金属、例えばナトリウムのイオン、アンモニウムイオン、又は有機アミンから発生するイオンを表し、
R1'は、ココナツ油中若しくは加水分解亜麻仁油中に存在する酸R1'-COOHのアルキル基、C7、C9、C11若しくはC13アルキル基等のアルキル基、C17アルキル基及びそのイソ型、又は不飽和C17基を示す)
【０２５２】
両性界面活性剤が、(C8〜C24)アルキルアンホモノアセテート、(C8〜C24)アルキルアンホジアセテート、(C8〜C24)アルキルアンホモノプロピオネート及び(C8〜C24)アルキルアンホジプロピオネートから選択されることが好ましい。
【０２５３】
これらの化合物は、CTFA辞典、第5版、1993年において、名称ココアンホ二酢酸二ナトリウム、ラウロアンホ二酢酸二ナトリウム、カプリルアンホ二酢酸二ナトリウム、カプリロアンホ二酢酸二ナトリウム、ココアンホジプロピオン酸二ナトリウム、ラウロアンホプロピオン酸二ナトリウム、カプリルアンホジプロピオン酸二ナトリウム、ラウロアンホジプロピオン酸及びココアンホジプロピオン酸で分類されている。
【０２５４】
例として、Rhodia Chimie社により商標名Miranol(登録商標)C2M concentrateで販売されているココアンホジアセテートを挙げることができる。
【０２５５】
カチオン性界面活性剤
本発明によれば、カチオン性界面活性剤の種類は限定されない。カチオン性界面活性剤は、任意選択でポリオキシアルキレン化された第一級、第二級及び第三級脂肪アミン塩、第四級アンモニウム塩、及びこれらの混合物からなる群から選択することができる。
【０２５６】
挙げることができる第四級アンモニウム塩の例には、以下のものが含まれるがこれらに限定されない:
以下の一般式(I)のもの
【０２５７】
【化３】
2020099513.tif 000005
【０２５８】
[式中、
R1、R2、R3及びR4は、同一であっても異なっていてもよく、1〜30個の炭素原子を含んで酸素、窒素、硫黄及びハロゲン等のヘテロ原子を任意選択で含む、直鎖状及び分枝状の脂肪族基から選ばれる。脂肪族基は、例えば、アルキル、アルコキシ、C2〜C6ポリオキシアルキレン、アルキルアミド、(C12〜C22)アルキルアミド(C2〜C6)アルキル、(C12〜C22)アルキルアセテート及びヒドロキシアルキルの各基;並びに芳香族基、例えばアリール及びアルキルアリールから選ぶことができ; X-は、ハロゲン化物イオン、リン酸イオン、酢酸イオン、乳酸イオン、(C2〜C6)アルキル硫酸イオン、及びアルキルスルホン酸イオン又はアルキルアリールスルホン酸イオンから選ばれる];
イミダゾリンの第四級アンモニウム塩、例としては、次式(II)のもの
【０２５９】
【化４】
2020099513.tif 000006
【０２６０】
(式中、
R5は、8〜30個の炭素原子を含むアルケニル基及びアルキル基、例えば、獣脂の若しくはココナツの脂肪酸誘導体から選ばれ、
R6は、水素、C1〜C4アルキル基、及び8〜30個の炭素原子を含むアルケニル基及びアルキル基から選ばれ、
R7は、C1〜C4アルキル基から選ばれ、
R8は、水素及びC1〜C4アルキル基から選ばれ、
X-は、ハロゲン化物イオン、リン酸イオン、酢酸イオン、乳酸イオン、アルキル硫酸イオン、アルキルスルホン酸イオン及びアルキルアリールスルホン酸イオンから選ばれる)。
一実施形態では、R5及びR6は、例えば、獣脂の脂肪酸誘導体等の、12〜21個の炭素原子を含むアルケニル基及びアルキル基から選ばれる基の混合物であり、R7はメチルであり、R8は水素である。このような製品の例には、Witco社により名称「Rewoquat(登録商標)」W75、W90、W75PG及びW75HPGで販売されているクオタニウム-27(CTFA 1997年)及びクオタニウム-83(CTFA 1997年)が挙げられるがこれらに限定されない;
式(III)のジ四級アンモニウム塩
【０２６１】
【化５】
2020099513.tif 000007
【０２６２】
(式中、
R9は、16〜30個の炭素原子を含む脂肪族基から選ばれ、
R10は、水素、又は1〜4個の炭素原子を含むアルキル基、又は(R16a)(R17a)(R18a)N+(CH2)3基から選ばれ、
R11、R12、R13、R14、R16a、R17a及びR18aは、同一であっても異なっていてもよく、水素、及び1〜4個の炭素原子を含むアルキル基から選ばれ、
X-は、ハロゲン化物イオン、酢酸イオン、リン酸イオン、硝酸イオン、エチル硫酸イオン及びメチル硫酸イオンから選ばれる)。
このようなジ四級アンモニウム塩の例は、FINETEX社のFINQUAT CT-P(クオタニウム-89)、又はFINETEX社のFINQUAT CT(クオタニウム-75)である;並びに
少なくとも1つのエステル官能基を含む第四級アンモニウム塩、例えば次式(IV)のもの
【０２６３】
【化６】
2020099513.tif 000008
【０２６４】
(式中、
R22は、C1〜C6アルキル基、並びにC1〜C6ヒドロキシアルキル基及びジヒドロキシアルキル基から選ばれ、
R23は、
以下の基:
【０２６５】
【化７】
2020099513.tif 000009
【０２６６】
、直鎖状及び分枝状の、飽和及び不飽和のC1〜C22炭化水素系基R27、並びに水素から選ばれ、
R25は、
以下の基:
【０２６７】
【化８】
2020099513.tif 000010
【０２６８】
、直鎖状及び分枝状の、飽和及び不飽和のC1〜C6炭化水素系基R29、並びに水素から選ばれ、
R24、R26及びR28は、同一であっても異なっていてもよく、直鎖状及び分枝状の、飽和及び不飽和のC7〜C21炭化水素系基から選ばれ、
r、s及びtは、同一であっても異なっていてもよく、2〜6の範囲の整数から選ばれ、
r1及びt1のそれぞれは、同一であっても異なっていてもよく、0又は1であり、且つr2+r1=2r及びt1+2t=2tであり、
yは、1から10の範囲の整数から選ばれ、
x及びzは、同一であっても異なっていてもよく、0〜10の範囲の整数から選ばれ、
X-は、単体及び錯体の、有機及び無機のアニオンから選ばれ、但し、和x+y+zは、1〜15の範囲であり、xが0であるとき、R23はR27を示し、zが0であるとき、R25はR29を示すことを条件とする。R22は、直鎖状及び分枝状のアルキル基から選ぶことができる。一実施形態では、R22は、直鎖状のアルキル基から選ばれる。別の実施形態では、R22は、メチル基、エチル基、ヒドロキシエチル基及びジヒドロキシプロピル基から選ばれ、例えば、メチル基及びエチル基から選ばれる。一実施形態では、和x+y+zは、1〜10の範囲である。R23が炭化水素系基R27であるとき、これは長鎖であって12〜22個の炭素原子を含んでもよく、又は短鎖であって1〜3個の炭素原子を含んでもよい。R25が炭化水素系基R29であるとき、これは、例えば1〜3個の炭素原子を含んでもよい。非限定的な例として、一実施形態では、R24、R26及びR28は、同一であっても異なっていてもよく、直鎖状及び分枝状の、飽和及び不飽和のC11〜C21炭化水素系基から選ばれ、例えば、直鎖状及び分枝状の、飽和及び不飽和のC11〜C21アルキル基及びアルケニル基から選ばれる。別の実施形態では、x及びzは、同一であっても異なっていてもよく、0又は1である。一実施形態では、yは1に等しい。別の実施形態では、r、s及びtは、同一であっても異なっていてもよく、2又は3に等しく、例えば2に等しい。アニオンX-は、例えば、ハロゲン化物イオン、例えば塩化物イオン、臭化物イオン及びヨウ化物イオン;並びにC1〜C4アルキル硫酸イオン、例えばメチル硫酸イオンから選ぶことができる。しかしながら、メタンスルホン酸アニオン、リン酸アニオン、硝酸アニオン、トシル酸アニオン、有機酸に由来するアニオン、例えば酢酸アニオン及び乳酸アニオン、並びにエステル官能基を含むアンモニウムと適合性のある任意の他のアニオンが、本発明により使用されうるアニオンの他の非限定的な例である。一実施形態では、アニオンX-は、塩化物イオン及びメチル硫酸イオンから選ばれる。
【０２６９】
別の実施形態では、式(IV)のアンモニウム塩を使用することができ、式中、
R22は、メチル基及びエチル基から選ばれ、
x及びyは、1に等しく、
zは、0又は1に等しく、
r、s及びtは、2に等しく、
R23は、
以下の基:
【０２７０】
【化９】
2020099513.tif 000011
【０２７１】
、メチル基、エチル基、及びC14〜C22炭化水素系基、並びに水素から選ばれ、
R25は、
以下の基:
【０２７２】
【化１０】
2020099513.tif 000012
【０２７３】
、及び水素から選ばれ、
R24、R26及びR28は、同一であっても異なっていてもよく、直鎖状及び分枝状の、飽和及び不飽和のC13〜C17炭化水素系基から選ばれ、例えば、直鎖状及び分枝状の、飽和及び不飽和のC13〜C17アルキル基及びアルケニル基から選ばれる。
【０２７４】
一実施形態では、炭化水素系基は直鎖状である。
【０２７５】
挙げることができる式(IV)の化合物の非限定的な例には、塩、例えば、ジアシルオキシエチル-ジメチルアンモニウムの塩化物及びメチル硫酸塩、ジアシルオキシエチル-ヒドロキシエチル-メチルアンモニウムの塩化物及びメチル硫酸塩、モノアシルオキシエチル-ジヒドロキシエチル-メチルアンモニウムの塩化物及びメチル硫酸塩、トリアシルオキシエチル-メチルアンモニウムの塩化物及びメチル硫酸塩、モノアシルオキシエチル-ヒドロキシエチル-ジメチル-アンモニウムの塩化物及びメチル硫酸塩、並びにこれらの混合物が含まれる。一実施形態では、アシル基は、14〜18個の炭素原子を含んでもよく、例えば植物油、例としてはパーム油及びヒマワリ油に由来してもよい。化合物がいくつかのアシル基を含むとき、これらの基は、同一であっても異なっていてもよい。
【０２７６】
これらの生成物は、例えば、任意選択でオキシアルキレン化されたトリエタノールアミン、トリイソプロパノールアミン、アルキルジエタノールアミン又はアルキルジイソプロパノールアミンを、脂肪酸に、又は植物若しくは動物起源の脂肪酸の混合物に、直接エステル化することによって、又はそれらのメチルエステルをエステル交換することによって得ることができる。このエステル化の後に、アルキル化剤を使用して四級化してもよく、該アルキル化剤は、ハロゲン化アルキル、例えばハロゲン化メチル及びハロゲン化エチル;硫酸ジアルキル、例えば硫酸ジメチル及び硫酸ジエチル;メタンスルホン酸メチル;パラ-トルエンスルホン酸メチル;グリコールクロロヒドリン;並びにグリセロールクロロヒドリンから選ばれる。
【０２７７】
このような化合物は、例えば、Cognis社により名称Dehyquart(登録商標)で、Stepan社により名称Stepanquat(登録商標)で、Ceca社により名称Noxamium(登録商標)で、Rewo-Goldschmidt社により名称「Rewoquat(登録商標)WE 18」で販売されている。
【０２７８】
本発明のために使用されうる化粧用組成物中で使用することができるアンモニウム塩の他の非限定的な例には、米国特許第4874554号及び第4137180号に記載されている、少なくとも1つのエステル官能基を含むアンモニウム塩が挙げられる。
【０２７９】
本発明のために使用されうる化粧用組成物中で使用することができる上記の第四級アンモニウム塩には、式(I)に相当するもの、例えば、塩化テトラアルキルアンモニウム、例としては塩化ジアルキルジメチルアンモニウム及び塩化アルキルトリメチルアンモニウム(ここで、アルキル基は、約12〜22個の炭素原子を含む)、例えば塩化ベヘニルトリメチルアンモニウム、塩化ジステアリルジメチルアンモニウム、塩化セチルトリメチルアンモニウム及び塩化ベンジルジメチルステアリルアンモニウム;塩化パルミチルアミドプロピルトリメチルアンモニウム;並びにVan Dyk社により名称「Ceraphyl(登録商標)70」で販売されている塩化ステアラミドプロピルジメチル(酢酸ミリスチル)アンモニウムが挙げられるがこれらに限定されない。
【０２８０】
一実施形態によれば、本発明のために使用されうる化粧用組成物中で使用することができるカチオン性界面活性剤は、第四級アンモニウム塩、例えば、塩化ベヘニルトリメチルアンモニウム、塩化セチルトリメチルアンモニウム、クオタニウム-83、クオタニウム-87、クオタニウム-22、塩化ベヘニルアミドプロピル-2,3-ジヒドロキシプロピルジメチルアンモニウム、塩化パルミチルアミドプロピルトリメチルアンモニウム及びステアラミドプロピルジメチルアミンから選ばれる。
【０２８１】
非イオン性界面活性剤
非イオン性界面活性剤は、それら自体周知の化合物である(例えば、この点に関しては、M.R.Porterによる「Handbook of Surfactants」、Blackie & Son publishers(Glasgow and London)、1991年、116〜178頁を参照されたい)。そのため、非イオン性界面活性剤は、例えば、アルコール、α-ジオール、アルキルフェノール、及び脂肪酸のエステルから選ぶことができ、これらの化合物は、エトキシル化、プロポキシル化又はグリセロール化されており、例えば8〜30個の炭素原子を含む少なくとも1つの脂肪鎖を有し、エチレンオキシド基又はプロピレンオキシド基の数が2〜50の範囲であり、グリセロール基の数が1〜30の範囲であることが可能である。マルトース誘導体もまた挙げることができる。エチレンオキシド及び/又はプロピレンオキシドのコポリマー;エチレンオキシド及び/又はプロピレンオキシドの、脂肪アルコールとの縮合物;例えば2〜30モルのエチレンオキシドを含むポリエトキシル化脂肪アミド;例えば1.5〜5つ、例えば1.5〜4つのグリセロール基を含むポリグリセロール化脂肪アミド;2〜30モルのエチレンオキシドを含むソルビタンのエトキシル化脂肪酸エステル;植物起源のエトキシル化された油;スクロースの脂肪酸エステル;ポリエチレングリコールの脂肪酸エステル;グリセロール(C6〜C24)アルキルポリグリコシドのポリエトキシル化脂肪酸モノエステル又はジエステル;N-(C6〜C24)アルキルグルカミン誘導体;(C10〜C14)アルキルアミンオキシド又はN-(C10〜C14)アシルアミノプロピルモルホリンオキシド等のアミンオキシド;並びにこれらの混合物もまた非限定的に挙げることができる。
【０２８２】
非イオン性界面活性剤は、モノオキシアルキレン化、ポリオキシアルキレン化、モノグリセロール化又はポリグリセロール化非イオン性界面活性剤から好ましくは選ぶことができる。オキシアルキレン単位は、より特定するとオキシエチレン若しくはオキシプロピレン単位、又はこれらの組合せであり、好ましくはオキシエチレン単位である。
【０２８３】
挙げることができるモノオキシアルキレン化又はポリオキシアルキレン化非イオン性界面活性剤の例には、とりわけ単独の又は混合物としての、以下が含まれる:
モノオキシアルキレン化又はポリオキシアルキレン化(C8〜C24)アルキルフェノール、
飽和又は不飽和の、直鎖状又は分枝状の、モノオキシアルキレン化又はポリオキシアルキレン化C8〜C30アルコール、
飽和又は不飽和の、直鎖状又は分枝状の、モノオキシアルキレン化又はポリオキシアルキレン化C8〜C30アミド、
飽和又は不飽和の、直鎖状又は分枝状のC8〜C30酸と、ポリアルキレングリコールとのエステル、
飽和又は不飽和の、直鎖状又は分枝状のC8〜C30酸と、ソルビトールとの、モノオキシアルキレン化又はポリオキシアルキレン化エステル、
飽和又は不飽和の、モノオキシアルキレン化又はポリオキシアルキレン化植物油、
エチレンオキシド及び/又はプロピレンオキシドの縮合物。
【０２８４】
界面活性剤は、好ましくは、1から100の間、最も好ましくは2から50の間のモル数のエチレンオキシド及び/又はプロピレンオキシドを含有する。有利には、非イオン性界面活性剤は、オキシプロピレン単位を一切含まない。
【０２８５】
本発明の実施形態の1つによれば、ポリオキシアルキレン化非イオン性界面活性剤は、ポリオキシエチレン化脂肪アルコール(脂肪アルコールのポリエチレングリコールエーテル)、ポリオキシエチレン化脂肪エステル(脂肪酸のポリエチレングリコールエステル)、及びポリオキシエチレン化脂肪アルコールとポリオキシエチレン化脂肪エステルとの混合物から選ばれる。
【０２８６】
挙げることができるポリオキシエチレン化脂肪アルコール(又はC8〜C30アルコール)の例には、ラウリルアルコールのエチレンオキシド付加物、特に2〜50個のオキシエチレン単位を含有するもの、より特定すると2〜20個のオキシエチレン単位を含有するもの(CTFA名ではラウレス-2からラウレス-20);ベヘニルアルコールのエチレンオキシド付加物、特に2〜50個のオキシエチレン単位を含有するもの、より特定すると2〜20個のオキシエチレン単位を含有するもの(CTFA名ではベヘネス-2からベヘネス-20);セテアリルアルコール(セチルアルコールとステアリルアルコールとの混合物)のエチレンオキシド付加物、特に2〜30個のオキシエチレン単位を含有するもの(CTFA名ではセテアレス-2からセテアレス-30);セチルアルコールのエチレンオキシド付加物、特に2〜30個のオキシエチレン単位を含有するもの(CTFA名ではセテス-2からセテス-30);ステアリルアルコールのエチレンオキシド付加物、特に2〜50個のオキシエチレン単位を含有するもの、より特定すると2〜20個のオキシエチレン単位を含有するもの(CTFA名ではステアレス-2からステアレス-20);イソステアリルアルコールのエチレンオキシド付加物、特に2〜50個のオキシエチレン単位を含有するもの(CTFA名ではイソステアレス-2からイソステアレス-50);及びこれらの混合物が含まれる。
【０２８７】
挙げることができるポリオキシエチレン化脂肪エステルの例には、ラウリン酸、パルミチン酸、ステアリン酸又はベヘン酸のエステルとのエチレンオキシド付加物及びこれらの混合物、特に9〜100個のオキシエチレン単位を含有するもの、例えばPEG-9からPEG-50ラウレート(CTFA名:PEG-9ラウレートからPEG-50ラウレート);PEG-9からPEG-50パルミテート(CTFA名:PEG-9パルミテートからPEG-50パルミテート);PEG-9からPEG-50ステアレート(CTFA名:PEG-9ステアレートからPEG-50ステアレート);PEG-9からPEG-50  パルミトステアレート;PEG-9からPEG-50ベヘネート(CTFA名:PEG-9ベヘネートからPEG-50ベヘネート);ポリエチレングリコール100 EOモノステアレート(CTFA名:PEG-100ステアレート);並びにこれらの混合物が含まれる。
【０２８８】
本発明の好ましい一実施形態によれば、本発明のために使用されうる化粧用組成物は、少なくとも1種のポリオキシエチレン化脂肪アルコールを含む。
【０２８９】
より好ましい一実施形態によれば、本発明のために使用されうる化粧用組成物は、2〜9個のエチレンオキシド単位を含む少なくとも1種の脂肪アルコール、及び10〜30個のエチレンオキシド単位を含む少なくとも1種の脂肪アルコールを含有する。
【０２９０】
モノグリセロール化又はポリグリセロール化非イオン性界面活性剤の例として、モノグリセロール化又はポリグリセロール化C8〜C40アルコールが好ましくは使用される。
【０２９１】
詳細には、モノグリセロール化又はポリグリセロール化C8〜C40アルコールは、次式:
RO-[CH2-CH(CH2OH)-O]m-H、又はRO-[CH(CH2OH)-CH2O]m-H
(式中、Rは、直鎖状又は分枝状のC8〜C40、好ましくはC8〜C30アルキル基又はアルケニル基を表し、mは、1〜30、好ましくは1.5〜10の範囲の数を表す)
に相当する。
【０２９２】
本発明の関連において好適である化合物の例として、4モルのグリセロールを含有するラウリルアルコール(INCI名:ポリグリセリル-4ラウリルエーテル)、1.5モルのグリセロールを含有するラウリルアルコール、4モルのグリセロールを含有するオレイルアルコール(INCI名:ポリグリセリル-4オレイルエーテル)、2モルのグリセロールを含有するオレイルアルコール(INCI名:ポリグリセリル-2オレイルエーテル)、2モルのグリセロールを含有するセテアリルアルコール、6モルのグリセロールを含有するセテアリルアルコール、6モルのグリセロールを含有するオレオセチルアルコール、及び6モルのグリセロールを含有するオクタデカノールを挙げることができる。
【０２９３】
アルコールは、mの値が統計値を表すのと同様に、アルコールの混合物を表してもよく、これは、市販製品において、いくつかの種のポリグリセロール化脂肪アルコールが混合物の形態で共存できることを意味する。
【０２９４】
モノグリセロール化又はポリグリセロール化アルコールの中では、1モルのグリセロールを含有するC8/C10アルコール、1モルのグリセロールを含有するC10/C12アルコール、及び1.5モルのグリセロールを含有するC12アルコールを使用することが好ましい。
【０２９５】
モノグリセロール化又はポリグリセロール化C8〜C40脂肪エステルは、次式:
R'O-[CH2-CH(CH2OR''')-O]m-R''、又はR'O-[CH(CH2OR''')-CH2O]m-R''
[式中、R'、R''及びR'''のそれぞれは、独立に、水素原子、又は直鎖状若しくは分枝状のC8〜C40、好ましくはC8〜C30アルキル-CO-基又はアルケニル-CO-基を表し、但しR'、R''及びR'''の少なくとも1つは水素原子ではなく、mは、1〜30、好ましくは1.5〜10の範囲の数を表す]
に相当することができる。
【０２９６】
挙げることができるポリオキシエチレン化脂肪エステルの例には、ラウリン酸、パルミチン酸、ステアリン酸又はベヘン酸のエステルとのエチレンオキシド付加物及びこれらの混合物、特に9〜100個のオキシエチレン単位を含有するもの、例えばPEG-9からPEG-50ラウレート(CTFA名:PEG-9ラウレートからPEG-50ラウレート);PEG-9からPEG-50パルミテート(CTFA名:PEG-9パルミテートからPEG-50パルミテート);PEG-9からPEG-50ステアレート(CTFA名:PEG-9ステアレートからPEG-50ステアレート);PEG-9からPEG-50パルミトステアレート;PEG-9からPEG-50ベヘネート(CTFA名:PEG-9ベヘネートからPEG-50ベヘネート);ポリエチレングリコール100 EOモノステアレート(CTFA名:PEG-100ステアレート);並びにこれらの混合物が挙げられる。
【０２９７】
好ましくは、非イオン性界面活性剤は、8〜18のHLBを有する非イオン性界面活性剤でありうる。HLBは、分子における親水性部分と親油性部分との間の比である。この用語HLBは、当業者に周知であり、「The HLB system. A time-saving guide to emulsifier selection」(ICI Americas Inc.社より刊行、1984年)に記載されている。
【０２９８】
本発明のために使用されうる化粧用組成物中の界面活性剤の量は、化粧用組成物の総質量に対して、0.01質量%以上、好ましくは0.05質量%以上、より好ましくは0.1質量%以上であってもよい。本発明のために使用されうる化粧用組成物中の界面活性剤の量は、化粧用組成物の総質量に対して、10質量%以下、好ましくは8質量%以下、より好ましくは5質量%以下であってもよい。本発明のために使用されうる化粧用組成物中の界面活性剤の量は、化粧用組成物の総質量に対して、0.01質量%〜10質量%、好ましくは0.05質量%〜8質量%、より好ましくは0.1質量%〜5質量%であってもよい。
【０２９９】
(他の成分)
本発明のために使用されうる化粧用組成物のpHは、化粧用組成物中で通常使用される酸性化剤又は塩基性化剤を使用して所望の値へと調整することができる。
【０３００】
本発明のために使用されうる化粧用組成物の水相は、好ましくは中性又は酸性でありうる。したがって、化粧用組成物の水相のpHが、1〜7、より好ましくは2〜6、更により好ましくは3〜5であることが好ましい。
【０３０１】
酸性化剤の中では、例として、鉱酸又は有機酸、例えば塩酸、オルト-リン酸、硫酸、カルボン酸、例えば酢酸、酒石酸、クエン酸及び乳酸、並びにスルホン酸を挙げることができる。
【０３０２】
塩基性化剤の中では、例として、水酸化アンモニウム、アルカリ金属炭酸塩、アルカノールアミン、例えばモノエタノールアミン、ジエタノールアミン及びトリエタノールアミン、更にはそれらの誘導体、水酸化ナトリウム又は水酸化カリウム、並びに次式:
【０３０３】
【化１１】
2020099513.tif 000013
【０３０４】
(式中、
Wは、ヒドロキシル基又はC1〜C4アルキル基で任意選択で置換されているプロピレン等のアルキレンを示し、Ra、Rb、Rc及びRdは、独立に、水素原子、アルキル基又はC1〜C4ヒドロキシアルキル基を示す)
の化合物を挙げることができ、これは、1,3-プロパンジアミン及びそれらの誘導体により例示されうる。
【０３０５】
酸性化剤又は塩基性化剤は、化粧用組成物の総質量に対して、0.001質量%〜15質量%、好ましくは0.01質量%〜10質量%、より好ましくは0.1質量%〜5質量%の範囲の量で使用することができる。
【０３０６】
本発明のために使用されうる化粧用組成物はまた、化粧用組成物中で従来使用されている様々な補助剤、例えばアニオン性、非イオン性、カチオン性、及び両性又は双性イオン性ポリマー、抗酸化剤、増粘剤、金属イオン封鎖剤、芳香剤、分散剤、コンディショニング剤、被膜形成剤、セラミド、保存剤、並びに不透明化剤も含有してもよい。
【０３０７】
(調製)
本発明のために使用されうる化粧用組成物は、例えば油と水と上に説明した他の成分(必要な場合)とを混合して調製することができる。
【０３０８】
上記の成分を混合する方法及び手段は限定されない。任意の従来の方法及び手段を、上記の成分を混合して本発明のために使用されうる化粧用組成物を調製するのに使用することができる。
【０３０９】
[美容方法]
本発明による美容方法は、
少なくとも1枚のマイクロニードルシートを、少なくとも1個のアプリケーターの少なくとも1つの適用面に取り付ける工程であって、該マイクロニードルシートが、基材層及び該基材層上の複数のマイクロニードルを備え、マイクロニードルが少なくとも1種の水溶性又は水分散性ポリマーを含み、前記基材層を前記アプリケーターの前記適用面に取り付ける工程と、
前記アプリケーターを、前記マイクロニードルがケラチン物質と接触するようにケラチン物質上に適用する工程と
を含む。
【０３１０】
本発明による美容方法は、皮膚又は唇、好ましくは皮膚、より好ましくは顔面の皮膚等のケラチン物質の美容トリートメントのために企図されうる。
【０３１１】
マイクロニードルシートが使用されるとき、マイクロニードルシートの基材層は、マイクロニードルシートをアプリケーターに取り付けるために、アプリケーターの適用面に取り付けられる。
【０３１２】
マイクロニードルシートが容器中に保管されて、マイクロニードルシートが使用されるときに該容器から取り出されることが好ましい。
【０３１３】
マイクロニードルシートが少なくとも1つの接着剤層を備え、該接着剤層がアプリケーターの適用面に付着されることが好ましい。
【０３１４】
マイクロニードルシートが接着層上に少なくとも1つの剥離層を備え、マイクロニードルシートが使用されるときに該剥離層が接着剤層の面から取り外されることが、より好ましい。
【０３１５】
次いで、適用面をケラチン物質上にスタンピングすることによって、又は適用面をケラチン物質上で転がすことによって、マイクロニードルシートを有するアプリケーターを、ケラチン物質上に適用した。
【０３１６】
マイクロニードルシートのマイクロニードルは、ケラチン物質中へ穿通して美容効果をもたらす。
【０３１７】
本発明による美容方法は、例えば皺の外観を低減させることによって、又はケラチン物質に、マイクロニードル中の任意の美容有効成分(存在する場合)を供給することによって、ケラチン物質の審美的外観を改善させるために使用されうる。
【０３１８】
皮膚内の表皮等のマトリックスの量が減少すると、皮膚の厚さの減少及び皮膚の弾性の劣化へと至らせて皺の形成を引き起こす傾向がある。マイクロニードルは、皮膚内のマトリックスの量を増加させて、そうして皮膚の弾性を上昇させ、皮膚上の皺の低減をもたらすことができる。
【０３１９】
マイクロニードルが、詳細には遠位端部分が膨潤性である場合、それは、皮膚内で膨潤して、例えば皮膚内の水の吸収と共に、マイクロニードルの体積を更に増加させることができる。皺部位の皮膚表面下におけるこのような体積膨張は、皺を皮膚の内部から効果的に押して、皺をより浅く、より幅広くすることができる。こうして、皺が低減されうる又は目立たなくなりうる。
【０３２０】
そのため、本発明による美容方法が、ケラチン物質上にマイクロニードルシートを押し付けて、皮膚等のケラチン物質内にマイクロニードルシートのマイクロニードルを確実に挿入する工程を含んでいることが好ましい。
【０３２１】
特定の一実施形態では、本発明による美容方法は、半永久的又は永久的な美容トリートメントを皮膚等のケラチン物質に施すために使用されうる。
【実施例】
【０３２２】
本発明を、実施例によって、より詳細に説明することにする。しかしながら、これらの実施例は、本発明の範囲を限定するものとは解釈すべきでない。以下の実施例は、本発明の分野における非限定的例示として提示する。
【０３２３】
[マイクロニードルパッチ]
マイクロニードルシートを、100Kダルトンの平均分子量を有するヒアルロン酸ナトリウムを使用して調製した。マイクロニードルシートは、基材層上に複数のマイクロニードルを有していた。各マイクロニードルは円錐体の形状を有し、長さ又は高さを250μmとし、底部の直径を300μmとした。マイクロニードルのピッチは300μmとした。
【０３２４】
マイクロニードルシートを、標準的な型鋳造方法によって調製した。ヒアルロン酸ナトリウム、ポリビニルピロリドン、グリセリン、プロピレングリコール及びビタミンCを水に溶解させ、こうして得たこれらの成分の水性溶液を、マイクロニードル及び基材層の形状に対応する型のキャビティ中へ注入した。室温で乾燥させて水を除去した後、キャビティ内のマイクロニードルを、基材層上に複数のマイクロニードルを有するマイクロニードルシートとして型から外した。
【０３２５】
マイクロニードルシートを、それがアプリケーター上へ適用されるパッチの形状を有するように切断した。
【０３２６】
マイクロニードルパッチを、感圧接着剤で、可撓性PET(ポリエチレンテレフタレート)フィルムの片方の面の上に固定した。PETフィルムの他の面上へ、酢酸ビニル-アクリレートコポリマーを含む感圧接着剤を適用して、感圧接着剤層を形成した。接着剤層の自由な面上へ、剥離紙を積層した。このようにして、積層(多層)マイクロニードルパッチを調製した。
【０３２７】
[容器]
PETから作製したトレイを容器として使用した。厚さ2mmの不織布シートを、トレイ中に、多孔質シートとして載置した。上記のマイクロニードルシートを、マイクロニードルがトレイ中の多孔質シートに向くようにトレイ中に載置した。マイクロニードルシートのマイクロニードルは壊れなかった。
【０３２８】
[マイクロニードルアセンブリ]
積層したマイクロニードルパッチを、剥離紙を剥がして感圧接着剤層を円筒形ローラーの面上に適用することによって、プラスチック材料から作製したハンドルを有するステンレス鋼で作製した円筒形ローラーの面上に取り付けて(図3に示す)、マイクロニードルアセンブリを用意した。
【０３２９】
[評価]
ヒトの死体の皮膚を切除し、電気的デルマトーム(Integra Life SciencesTM、Padgett Instruments社、プレインズボロ、ニュージャージー州、米国)を用いて厚さ700μmにトリムして、ヒトの皮膚サンプルを用意した。
【０３３０】
マイクロニードルがヒトの皮膚サンプル中へ穿通するように、上記のマイクロニードルアセンブリのマイクロニードルシートを有するローラーをヒトの皮膚のサンプル上で10回、転がした。
【０３３１】
次に、ヒトの皮膚のサンプルを、熱い液状パラフィンに浸し、冷却して、パラフィンブロックを調製した。パラフィンブロックを切断して5枚のヒトの皮膚の断面スライスを調製した。
【０３３２】
その上で上記のマイクロニードルアセンブリを転がさなかったヒトの皮膚のサンプルについては、5枚のヒトの皮膚の断面スライスもまた調製した。
【０３３３】
ヒトの皮膚の断面スライスの両方の組をBouin固定液中で予固定して、Lillie-Mayerのヘマトキシリン(武藤化学株式会社、日本)及びエロシン溶液(富士フィルム和光純薬株式会社)で染色した。HE染色した断面の明視野画像を、デジタルカメラ  (DFC295、Leica社、ドイツ)を200倍率で用いて観察して、皮膚が崩壊したことを確認した。
【０３３４】
皮膚の断面図で比較すると、マイクロニードルアセンブリを転がしたか否かにかかわらず、マイクロニードルアセンブリで転がすトリートメントをした後の皮膚は、皮膚のいくつかの部位にて皮膚の角質層が首尾よく崩壊したことを示していること、及びその崩壊の形状がマイクロニードルの形状に対応できていたことが見出された。
【符号の説明】
【０３３５】
1  マイクロニードルシート
1-1  マイクロニードル
1-2  基材層
1-3  基層
1-4  接着剤層
1-5  剥離層
1-5-1  タブ
2  アプリケーター
2-1  ローラー
2-1-1  曲面の側面
2-2  ハンドル
2'  アプリケーター
2'-1  スタンプ
2'-1-1  平底面
2'-2  ハンドル
3  ケラチン物質
4  容器
5  多孔質シート
【図１】
2020099513.tif 000014
【図２】
2020099513.tif 000015
【図３】
2020099513.tif 000016
【図４】
2020099513.tif 000017
【図５】
2020099513.tif 000018
【図６】
2020099513.tif 000019
【外国語明細書】
2020099513000001.pdf